(57)【要約】      （修正有）【課題】Ｄ２Ｄ通信における参照信号送信方法及びユーザ機器参照信号を使用してチャネル推定を実行して後続の復調及び復号処理を行うを提供する。【解決手段】第１のユーザ機器によって、第１のユーザ機器に関連する第１の識別子を判定するステップと、第１のユーザ機器によって、第１の識別子に従って、選択されることになる循環シフトインジケーションから第１の循環シフトインジケーションを判定するステップと、第１のユーザ機器によって、第１の循環シフトインジケーション及び事前設定された基本シーケンスに従って、第１の参照信号を判定するステップと、第１のユーザ機器によって、第１の参照信号を第２のユーザ機器に送信するステップと、を含む。【選択図】図１
2018067933.tif 000002
【特許請求の範囲】
【請求項１】
参照信号送信方法であって、
第１のユーザ機器によって、前記第１のユーザ機器に関連する第１の識別子を判定するステップと、
前記第１のユーザ機器によって、前記第１の識別子に従って、選択されることになる循環シフトインジケーションから第１の循環シフトインジケーションを判定するステップと、
前記第１のユーザ機器によって、前記第１の循環シフトインジケーション及び事前設定された基本シーケンスに従って、第１の参照信号を判定するステップと、
前記第１のユーザ機器によって、前記第１の参照信号を第２のユーザ機器に送信するステップと
を備える、方法。
【請求項２】
第１のユーザ機器によって、前記第１のユーザ機器に関連する第１の識別子を判定する前記ステップは、
前記第１のユーザ機器によって、前記第２のユーザ機器によって送信された、受信された要求において搬送される前記第１の識別子に従って、前記第１の識別子を判定するステップを含む、請求項１に記載の方法。
【請求項３】
第１のユーザ機器によって、前記第１のユーザ機器に関連する第１の識別子を判定する前記ステップは、
前記第１のユーザ機器によって、前記第１のユーザ機器に関連する識別子から事前設定されたルールに従って、識別子を前記第１の識別子として選択するステップを含む、請求項１に記載の方法。
【請求項４】
前記第１のユーザ機器によって、前記第１の循環シフトインジケーション及び事前設定された基本シーケンスに従って、第１の参照信号を判定する前記ステップは、
前記第１のユーザ機器によって、前記第１の循環シフトインジケーションに従って、前記基本シーケンスで循環シフトを実行した後、前記第１の参照信号を取得するステップを含む、請求項１から３のいずれか一項に記載の方法。
【請求項５】
前記第１のユーザ機器によって、前記第１の識別子に従って、選択されることになる循環シフトインジケーションから第１の循環シフトインジケーションを判定する前記ステップは、
前記第１のユーザ機器によって、ｎ個の選択されることになる循環シフトインジケーションの中でｋ番目の循環シフトインジケーションを前記第１の循環シフトインジケーションとして判定するステップを含み、ｎは、選択されることになる循環シフトインジケーションの数であり、ｍ１は、前記第１の識別子に基づいて判定された値であり、ｋ＝ｍｏｄ（ｍ１，ｎ）である、請求項１から４のいずれか一項に記載の方法。
【請求項６】
前記第１の識別子は、前記第１のユーザ機器の１つの識別子を含み、ｍ１は、前記第１の識別子の値に等しい、請求項５に記載の方法。
【請求項７】
前記第１の識別子は、前記第１のユーザ機器の少なくとも２つの識別子を含み、ｍ１は、事前設定された動作ルールに従って、前記少なくとも２つの識別子の値に基づいて判定された値である、請求項５に記載の方法。
【請求項８】
前記第１のユーザ機器によって、前記第１の識別子に従って、選択されることになる循環シフトインジケーションから第１の循環シフトインジケーションを判定する前記ステップは、
前記第１のユーザ機器によって、前記第１の識別子の値、及び前記第１の参照信号を送信するのに使用されるリソースの第１のパラメータの値に従って、前記第１の循環シフトインジケーションを判定するステップを含む、請求項１から４のいずれか一項に記載の方法。
【請求項９】
前記第１のユーザ機器によって、前記第１の識別子の値、及び前記第１の参照信号を送信するのに使用されるリソースの第１のパラメータの値に従って、前記第１の循環シフトインジケーションを判定する前記ステップは、
前記第１のユーザ機器によって、ｎ個の選択されることになる循環シフトインジケーションの中でｋ番目の循環シフトインジケーションを前記第１の循環シフトインジケーションとして判定するステップを含み、ｎは、選択されることになる循環シフトインジケーションの数であり、ｍ２は、事前設定された動作ルールに従って、前記第１の識別子の前記値及び前記第１のパラメータの前記値に基づいて判定された値であり、ｋ＝ｍｏｄ（ｍ２，ｎ）である、請求項８に記載の方法。
【請求項１０】
前記第１のパラメータは、前記リソースに対応する以下のパラメータ、フレーム番号、サブフレーム番号、物理リソースブロック番号、又は帯域幅、のうちの１つ又は複数を含む、請求項８又は９に記載の方法。
【請求項１１】
前記第１のユーザ機器によって、前記第１の識別子の値、及び前記第１の参照信号を送信するのに使用されるリソースの第１のパラメータの値に従って、前記第１の循環シフトインジケーションを判定する前記ステップは、
前記第１のユーザ機器によって、前記第１の識別子の前記値、前記第１のパラメータの前記値、及び第１のオフセット値に従って、前記第１の循環シフトインジケーションを判定するステップを含み、前記第１のオフセット値は、前記第１のユーザ機器が位置するセルのセル識別子値、前記第１のユーザ機器が属するエンドツーエンドＤ２Ｄクラスタの識別子値、又は第１の通信デバイスによって構成されたオフセット値である、請求項８に記載の方法。
【請求項１２】
前記第１のユーザ機器によって、前記第１の識別子に従って、選択されることになる循環シフトインジケーションから第１の循環シフトインジケーションを判定する前記ステップは、
前記第１のユーザ機器によって、前記第１の識別子の値及び第１のオフセット値に従って、前記第１の循環シフトインジケーションを判定するステップを含み、前記第１のオフセット値は、前記第１のユーザ機器が位置するセルのセル識別子値、前記第１のユーザ機器が属するＤ２Ｄクラスタの識別子値、又は第１の通信デバイスによって構成されたオフセット値である、請求項１から４のいずれか一項に記載の方法。
【請求項１３】
前記第１の識別子は、前記第１のユーザ機器の以下の識別子、Ｄ２Ｄ識別子、国際移動加入者識別番号ＩＭＳＩ、一時移動加入者識別番号ＴＭＳＩ、Ｄ２Ｄユーザグループ識別子、サービスタイプ識別子、又はＤ２Ｄクラスタ識別子、のうちの１つ又は複数を含み、
前記Ｄ２Ｄユーザグループ識別子は、前記第１のユーザ機器が属するＤ２Ｄユーザグループを示すために使用され、前記サービスタイプ識別子は、前記第１のユーザ機器によって提供されるサービスタイプを示すために使用される、請求項１から１２のいずれか一項に記載の方法。
【請求項１４】
参照信号送信方法であって、
第２のユーザ機器によって、第１のユーザ機器に関連する第１の識別子を判定するステップと、
前記第２のユーザ機器によって、前記第１の識別子に従って、選択されることになる循環シフトインジケーションから第１の循環シフトインジケーションを判定するステップと、
前記第２のユーザ機器によって、前記第１の循環シフトインジケーション及び事前設定された基本シーケンスに従って、第２の参照信号を判定するステップと、
前記第２のユーザ機器によって、前記第２の参照信号及びチャネルを通じて送信された、受信された第１の参照信号に従って、前記チャネル上でチャネルサウンディングを実行するステップと
を備える、方法。
【請求項１５】
第２のユーザ機器によって、第１のユーザ機器に関連する第１の識別子を判定する前記ステップは、
前記第２のユーザ機器によって、前記第１のユーザ機器に送信され、及び前記第１の識別子を搬送する要求に従って、前記第１の識別子を判定するステップを含む、請求項１４に記載の方法。
【請求項１６】
前記第２のユーザ機器によって、前記第１の循環シフトインジケーション及び事前設定された基本シーケンスに従って、第２の参照信号を判定する前記ステップは、
前記第２のユーザ機器によって、前記第１の循環シフトインジケーションに従って、前記基本シーケンスで循環シフトを実行した後、前記第２の参照信号を取得するステップを含む、請求項１４又は１５に記載の方法。
【請求項１７】
前記第２のユーザ機器によって、前記第１の識別子に従って、選択されることになる循環シフトインジケーションから第１の循環シフトインジケーションを判定する前記ステップは、
前記第２のユーザ機器によって、ｎ個の選択されることになる循環シフトインジケーションの中でｋ番目の循環シフトインジケーションを前記第１の循環シフトインジケーションとして判定するステップを含み、ｎは、選択されることになる循環シフトインジケーションの数であり、ｍ１は、前記第１の識別子に基づいて判定された値であり、ｋ＝ｍｏｄ（ｍ１，ｎ）である、請求項１４から１６のいずれか一項に記載の方法。
【請求項１８】
前記第１の識別子は、前記第１のユーザ機器の１つの識別子を含み、ｍ１は、前記第１の識別子の値に等しい、請求項１７に記載の方法。
【請求項１９】
前記第１の識別子は、前記第１のユーザ機器の少なくとも２つの識別子を含み、ｍ１は、事前設定された動作ルールに従って、前記少なくとも２つの識別子の値に基づいて判定された値である、請求項１７に記載の方法。
【請求項２０】
前記第２のユーザ機器によって、前記第１の識別子に従って、選択されることになる循環シフトインジケーションから第１の循環シフトインジケーションを判定する前記ステップは、
前記第２のユーザ機器によって、前記第１の識別子の値、及び前記第１の参照信号を送信するのに使用されるリソースの第１のパラメータの値に従って、前記第１の循環シフトインジケーションを判定するステップを含む、請求項１４から１６のいずれか一項に記載の方法。
【請求項２１】
前記第２のユーザ機器によって、前記第１の識別子の値、及び前記第１の参照信号を送信するのに使用されるリソースの第１のパラメータの値に従って、前記第１の循環シフトインジケーションを判定する前記ステップは、
前記第２のユーザ機器によって、ｎ個の選択されることになる循環シフトインジケーションの中でｋ番目の循環シフトインジケーションを前記第１の循環シフトインジケーションとして判定するステップを含み、ｎは、選択されることになる循環シフトインジケーションの数であり、ｍ２は、事前設定された動作ルールに従って、前記第１の識別子の前記値及び前記第１のパラメータの前記値に基づいて判定された値であり、ｋ＝ｍｏｄ（ｍ２，ｎ）である、請求項２０に記載の方法。
【請求項２２】
前記第１のパラメータは、前記リソースに対応する以下のパラメータ、フレーム番号、サブフレーム番号、物理リソースブロック番号、又は帯域幅、のうちの１つ又は複数を含む、請求項２０又は２１に記載の方法。
【請求項２３】
前記第２のユーザ機器によって、前記第１の識別子の値、及び前記第１の参照信号を送信するのに使用されるリソースの第１のパラメータの値に従って、前記第１の循環シフトインジケーションを判定する前記ステップは、
前記第２のユーザ機器によって、前記第１の識別子の前記値、前記第１のパラメータの前記値、及び第１のオフセット値に従って、前記第１の循環シフトインジケーションを判定するステップを含み、前記第１のオフセット値は、前記第１のユーザ機器が位置するセルのセル識別子値、前記第１のユーザ機器が属するエンドツーエンドＤ２Ｄクラスタの識別子値、又は第１の通信デバイスによって構成されたオフセット値である、請求項２０に記載の方法。
【請求項２４】
前記第２のユーザ機器によって、前記第１の識別子に従って、選択されることになる循環シフトインジケーションから第１の循環シフトインジケーションを判定する前記ステップは、
前記第２のユーザ機器によって、前記第１の識別子の値及び第１のオフセット値に従って、前記第１の循環シフトインジケーションを判定するステップを含み、前記第１のオフセット値は、前記第１のユーザ機器が位置するセルのセル識別子値、前記第１のユーザ機器が属するＤ２Ｄクラスタの識別子値、又は第１の通信デバイスによって構成されたオフセット値である、請求項１４から１６のいずれか一項に記載の方法。
【請求項２５】
前記第１の識別子は、前記第１のユーザ機器の以下の識別子、Ｄ２Ｄ識別子、国際移動加入者識別番号ＩＭＳＩ、一時移動加入者識別番号ＴＭＳＩ、Ｄ２Ｄユーザグループ識別子、サービスタイプ識別子、又はＤ２Ｄクラスタ識別子、のうちの１つ又は複数を含み、
前記Ｄ２Ｄユーザグループ識別子は、前記第１のユーザ機器が属するＤ２Ｄユーザグループを示すために使用され、前記サービスタイプ識別子は、前記第１のユーザ機器によって提供されるサービスタイプを示すために使用される、請求項１４から２４のいずれか一項に記載の方法。
【請求項２６】
ユーザ機器であって、
前記ユーザ機器に関連する第１の識別子を判定するように構成された第１の判定ユニットと、
前記第１の判定ユニットによって判定された前記第１の識別子に従って、選択されることになる循環シフトインジケーションから第１の循環シフトインジケーションを判定するように構成された第２の判定ユニットと、
前記第２の判定ユニットによって判定された前記第１の循環シフトインジケーション及び事前設定された基本シーケンスに従って、第１の参照信号を判定するように構成された第３の判定ユニットと、
前記第３の判定ユニットによって判定された前記第１の参照信号を第２のユーザ機器に送信するように構成された送信ユニットと
を備える、ユーザ機器。
【請求項２７】
受信ユニットをさらに備え、
前記受信ユニットは、前記第２のユーザ機器によって送信され、及び前記第１の識別子を搬送する要求を受信するように構成され、
前記第１の判定ユニットは特に、前記受信ユニットによって受信された前記要求において搬送された前記第１の識別子に従って、前記第１の識別子を判定するように構成される、請求項２６に記載のユーザ機器。
【請求項２８】
前記第１の判定ユニットは特に、前記ユーザ機器に関連する識別子から事前設定されたルールに従って、識別子を前記第１の識別子として選択するように構成される、請求項２６に記載のユーザ機器。
【請求項２９】
前記第３の判定ユニットは特に、前記第１の循環シフトインジケーションに従って、前記基本シーケンスで循環シフトを実行した後、前記第１の参照信号を取得するように構成される、請求項２６から２８のいずれか一項に記載のユーザ機器。
【請求項３０】
前記第２の判定ユニットは特に、ｎ個の選択されることになる循環シフトインジケーションの中でｋ番目の循環シフトインジケーションを前記第１の循環シフトインジケーションとして判定するように構成され、ｎは、選択されることになる循環シフトインジケーションの数であり、ｍ１は、前記第１の識別子に基づいて判定された値であり、ｋ＝ｍｏｄ（ｍ１，ｎ）である、請求項２６から２９のいずれか一項に記載のユーザ機器。
【請求項３１】
前記第１の識別子は、前記ユーザ機器の１つの識別子を含み、ｍ１は、前記第１の識別子の値に等しい、請求項３０に記載のユーザ機器。
【請求項３２】
前記第１の識別子は、前記ユーザ機器の少なくとも２つの識別子を含み、ｍ１は、事前設定された動作ルールに従って、前記少なくとも２つの識別子の値に基づいて判定された値である、請求項３０に記載のユーザ機器。
【請求項３３】
前記第２の判定ユニットは特に、前記第１の識別子の値、及び前記第１の参照信号を送信するのに使用されるリソースの第１のパラメータの値に従って、前記第１の循環シフトインジケーションを判定するように構成される、請求項２６から２９のいずれか一項に記載のユーザ機器。
【請求項３４】
前記第２の判定ユニットは特に、ｎ個の選択されることになる循環シフトインジケーションの中でｋ番目の循環シフトインジケーションを前記第１の循環シフトインジケーションとして判定するようにさらに構成され、ｎは、選択されることになる循環シフトインジケーションの数であり、ｍ２は、事前設定された動作ルールに従って、前記第１の識別子の前記値及び前記第１のパラメータの前記値に基づいて判定された値であり、ｋ＝ｍｏｄ（ｍ２，ｎ）である、請求項３３に記載のユーザ機器。
【請求項３５】
前記第１のパラメータは、前記リソースに対応する以下のパラメータ、フレーム番号、サブフレーム番号、物理リソースブロック番号、又は帯域幅、のうちの１つ又は複数を含む、請求項３３又は３４に記載のユーザ機器。
【請求項３６】
前記第２の判定ユニットは特に、前記第１の識別子の前記値、前記第１のパラメータの前記値、及び第１のオフセット値に従って、前記第１の循環シフトインジケーションを判定するようにさらに構成され、前記第１のオフセット値は、前記ユーザ機器が位置するセルのセル識別子値、前記ユーザ機器が属するエンドツーエンドＤ２Ｄクラスタの識別子値、又は第１の通信デバイスによって構成されたオフセット値である、請求項３３に記載のユーザ機器。
【請求項３７】
前記第２の判定ユニットは特に、前記第１の識別子の値及び第１のオフセット値に従って、前記第１の循環シフトインジケーションを判定するように構成され、前記第１のオフセット値は、前記ユーザ機器が位置するセルのセル識別子値、前記ユーザ機器が属するＤ２Ｄクラスタの識別子値、又は第１の通信デバイスによって構成されたオフセット値である、請求項２６から２９のいずれか一項に記載のユーザ機器。
【請求項３８】
前記第１の識別子は、前記ユーザ機器の以下の識別子、Ｄ２Ｄ識別子、国際移動加入者識別番号ＩＭＳＩ、一時移動加入者識別番号ＴＭＳＩ、Ｄ２Ｄユーザグループ識別子、サービスタイプ識別子、又はＤ２Ｄクラスタ識別子、のうちの１つ又は複数を含み、
前記Ｄ２Ｄユーザグループ識別子は、前記ユーザ機器が属するＤ２Ｄユーザグループを示すために使用され、前記サービスタイプ識別子は、前記ユーザ機器によって提供されるサービスタイプを示すために使用される、請求項２６から３７のいずれか一項に記載のユーザ機器。
【請求項３９】
ユーザ機器であって、
第１のユーザ機器に関連する第１の識別子を判定するように構成された第１の判定ユニットと、
前記第１の判定ユニットによって判定された前記第１の識別子に従って、選択されることになる循環シフトインジケーションから第１の循環シフトインジケーションを判定するように構成された第２の判定ユニットと、
前記第２の判定ユニットによって判定された前記第１の循環シフトインジケーション及び事前設定された基本シーケンスに従って、第２の参照信号を判定するように構成された第３の判定ユニットと、
チャネルを通じて送信された、第１の参照信号を受信するように構成された受信ユニットであって、前記第１の参照信号は、前記第１のユーザ機器によって送信される、受信ユニットと、
前記第３の判定ユニットによって判定された前記第２の参照信号、及び前記受信ユニットによって受信された前記第１の参照信号に従って、チャネル上でチャネルサウンディングを実行するように構成されたチャネルサウンディングユニットと
を備える、ユーザ機器。
【請求項４０】
送信ユニットをさらに備え、
前記送信ユニットは、前記第１のユーザ機器に、前記第１の識別子を搬送する要求を送信するように構成され、
前記第１の判定ユニットは特に、前記送信ユニットによって送信され、及び前記第１の識別子を搬送する前記要求に従って、前記第１の識別子を判定するように構成される、
請求項３９に記載のユーザ機器。
【請求項４１】
前記第３の判定ユニットは特に、前記第１の循環シフトインジケーションに従って、前記基本シーケンスで循環シフトを実行した後、前記第２の参照信号を取得するように構成される、請求項３９又は４０に記載のユーザ機器。
【請求項４２】
前記第２の判定ユニットは特に、ｎ個の選択されることになる循環シフトインジケーションの中でｋ番目の循環シフトインジケーションを前記第１の循環シフトインジケーションとして判定するように構成され、ｎは、選択されることになる循環シフトインジケーションの数であり、ｍ１は、前記第１の識別子に基づいて判定された値であり、ｋ＝ｍｏｄ（ｍ１，ｎ）である、請求項３９から４１のいずれか一項に記載のユーザ機器。
【請求項４３】
前記第１の識別子は、前記第１のユーザ機器の１つの識別子を含み、ｍ１は、前記第１の識別子の値に等しい、請求項４２に記載のユーザ機器。
【請求項４４】
前記第１の識別子は、前記第１のユーザ機器の少なくとも２つの識別子を含み、ｍ１は、事前設定された動作ルールに従って、前記少なくとも２つの識別子の値に基づいて判定された値である、請求項４２に記載のユーザ機器。
【請求項４５】
前記第２の判定ユニットは特に、前記第１の識別子の値、及び前記第１の参照信号を送信するのに使用されるリソースの第１のパラメータの値に従って、前記第１の循環シフトインジケーションを判定するように構成される、請求項３９から４１のいずれか一項に記載のユーザ機器。
【請求項４６】
前記第２の判定ユニットは特に、ｎ個の選択されることになる循環シフトインジケーションの中でｋ番目の循環シフトインジケーションを前記第１の循環シフトインジケーションとして判定するようにさらに構成され、ｎは、選択されることになる循環シフトインジケーションの数であり、ｍ２は、事前設定された動作ルールに従って、前記第１の識別子の前記値及び前記第１のパラメータの前記値に基づいて判定された値であり、ｋ＝ｍｏｄ（ｍ２，ｎ）である、請求項４５に記載のユーザ機器。
【請求項４７】
前記第１のパラメータは、前記リソースに対応する以下のパラメータ、フレーム番号、サブフレーム番号、物理リソースブロック番号、又は帯域幅、のうちの１つ又は複数を含む、請求項４６又は４６に記載のユーザ機器。
【請求項４８】
前記第２の判定ユニットは特に、前記第１の識別子の前記値、前記第１のパラメータの前記値、及び第１のオフセット値に従って、前記第１の循環シフトインジケーションを判定するようにさらに構成され、前記第１のオフセット値は、前記第１のユーザ機器が位置するセルのセル識別子値、前記第１のユーザ機器が属するＤ２Ｄクラスタの識別子値、又は第１の通信デバイスによって構成されたオフセット値である、請求項４５に記載のユーザ機器。
【請求項４９】
前記第２の判定ユニットは特に、前記第１の識別子の値及び第１のオフセット値に従って、前記第１の循環シフトインジケーションを判定するように構成され、前記第１のオフセット値は、前記第１のユーザ機器が位置するセルのセル識別子値、前記第１のユーザ機器が属するＤ２Ｄクラスタの識別子値、又は第１の通信デバイスによって構成されたオフセット値である、請求項３９から４１のいずれか一項に記載のユーザ機器。
【請求項５０】
前記第１の識別子は、前記第１のユーザ機器の以下の識別子、Ｄ２Ｄ識別子、国際移動加入者識別番号ＩＭＳＩ、一時移動加入者識別番号ＴＭＳＩ、Ｄ２Ｄユーザグループ識別子、サービスタイプ識別子、又はＤ２Ｄクラスタ識別子、のうちの１つ又は複数を含み、
前記Ｄ２Ｄユーザグループ識別子は、前記第１のユーザ機器が属するＤ２Ｄユーザグループを示すために使用され、前記サービスタイプ識別子は、前記第１のユーザ機器によって提供されるサービスタイプを示すために使用される、請求項３９から４９のいずれか一項に記載のユーザ機器。
【発明の詳細な説明】
【技術分野】
【０００１】
本発明の実施形態は、無線通信の分野、より詳細には、参照信号送信方法及びユーザ機器に関する。
【背景技術】
【０００２】
デバイスツーデバイス近接サービス（英語：Ｄｅｖｉｃｅ  ｔｏ  Ｄｅｖｉｃｅ  Ｐｒｏｘｉｍｉｔｙ  Ｓｅｒｖｉｃｅ，略してＤ２Ｄ  ＰｒｏＳｅ）が、ロングタームエボリューション（英語：Ｌｏｎｇ  Ｔｅｒｍ  Ｅｖｏｌｕｔｉｏｎ，略してＬＴＥ）システムに対する研究課題となっている。
【０００３】
Ｄ２Ｄ  ＰｒｏＳｅの物理レイヤを設計する過程で、設計の観点から、発見信号設計及び直接接続通信設計、の２つの主要な態様が分類されることがある。発見信号設計の目的は、ユーザ機器（英語：Ｕｓｅｒ  Ｅｑｕｉｐｍｅｎｔ，略してＵＥ）がネットワーク環境の近くに存在するＵＥを識別することを可能にすることである。発見信号設計は、発見信号を送信すること、及び発見信号を受信することを含む。直接接続通信設計の目的は、通話開始、チャネルサウンディング、チャネルフィードバック、リソーススケジューリング、データ送信、及び通話完了などの一連の手順を含む、ＵＥの間での直接接続通信手順を設計することである。
【０００４】
ＵＥが発見信号又は直接接続通信信号を受信するとき、ＵＥは、参照信号を使用することによってチャネル推定を実行して、後続の復調及び復号処理を実行する必要がある。
【０００５】
したがって、Ｄ２Ｄ通信においてどのように参照信号送信を実行するかが早急に解決される必要がある。
【発明の概要】
【０００６】
本発明の実施形態は、Ｄ２Ｄ通信において参照信号送信を実行するための参照信号送信方法及びユーザ機器を提供する。
【０００７】
第１の態様に従って、第１のユーザ機器によって、第１のユーザ機器に関連する第１の識別子を判定するステップと、第１のユーザ機器によって、第１の識別子に従って、選択されることになる循環シフトインジケーションから第１の循環シフトインジケーションを判定するステップと、第１のユーザ機器によって、第１の循環シフトインジケーション及び事前設定された基本シーケンスに従って、第１の参照信号を判定するステップと、第１のユーザ機器によって、第１の参照信号を第２のユーザ機器に送信するステップと、を含む参照信号送信方法が提供される。
【０００８】
第１の態様を参照して、第１の態様の実行方式で、第１のユーザ機器によって、第１のユーザ機器に関連する第１の識別子を判定するステップは、第１のユーザ機器によって、第２のユーザ機器によって送信された、受信された要求において搬送される第１の識別子に従って、第１の識別子を判定するステップを含む。
【０００９】
第１の態様、又は第１の態様の上述した実行方式のいずれか１つを参照して、第１の態様の別の実行方式で、第１のユーザ機器によって、第１のユーザ機器に関連する第１の識別子を判定するステップの前に、方法は、第１のユーザ機器によって、第２のユーザ機器によって送信された要求を受信するステップをさらに含み、要求は、第１の識別子を搬送する。
【００１０】
第１の態様、又は第１の態様の上述した実行方式のいずれか１つを参照して、第１の態様の別の実行方式で、第１のユーザ機器によって、第１のユーザ機器に関連する第１の識別子を判定するステップは、第１のユーザ機器によって、第１のユーザ機器に関連する識別子から事前設定されたルールに従って、識別子を第１の識別子として選択するステップを含む。
【００１１】
第１の態様、又は第１の態様の上述した実行方式のいずれか１つを参照して、第１の態様の別の実行方式で、第１のユーザ機器によって、第１の循環シフトインジケーション及び事前設定された基本シーケンスに従って、第１の参照信号を判定するステップは、第１のユーザ機器によって、第１の循環シフトインジケーションに従って、基本シーケンスで循環シフトを実行した後に第１の参照信号を取得するステップを含む。
【００１２】
第１の態様、又は第１の態様の上述した実行方式のいずれか１つを参照して、第１の態様の別の実行方式で、第１のユーザ機器によって、第１の識別子に従って、選択されることになる循環シフトインジケーションから第１の循環シフトインジケーションを判定するステップは、第１のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ１は、第１の識別子に基づいて判定された値であり、ｋ＝ｍｏｄ（ｍ１，ｎ）である。
【００１３】
第１の態様、又は第１の態様の上述した実行方式のいずれか１つを参照して、第１の態様の別の実行方式で、第１の識別子は、第１のユーザ機器の１つの識別子を含み、ｍ１は、第１の識別子の値に等しい。
【００１４】
第１の態様、又は第１の態様の上述した実行方式のいずれか１つを参照して、第１の態様の別の実行方式で、第１の識別子は、第１のユーザ機器の少なくとも２つの識別子を含み、ｍ１は、事前設定された動作ルールに従って少なくとも２つの識別子の値に基づいて判定された値である。
【００１５】
第１の態様、又は第１の態様の上述した実行方式のいずれか１つを参照して、第１の態様の別の実行方式で、第１のユーザ機器によって、第１の識別子に従って、選択されることになる循環シフトインジケーションから第１の循環シフトインジケーションを判定するステップは、第１のユーザ機器によって、第１の識別子の値、及び第１の参照信号を送信するのに使用されるリソースの第１のパラメータの値に従って、第１の循環シフトインジケーションを判定するステップを含む。
【００１６】
第１の態様、又は第１の態様の上述した実行方式のいずれか１つを参照して、第１の態様の別の実行方式で、第１のユーザ機器によって、第１の識別子の値、及び第１の参照信号を送信するのに使用されるリソースの第１のパラメータの値に従って、第１の循環シフトインジケーションを判定するステップは、第１のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【００１７】
第１の態様、又は第１の態様の上述した実行方式のいずれか１つを参照して、第１の態様の別の実行方式で、第１のパラメータは、リソースに対応する以下のパラメータ、フレーム番号、サブフレーム番号、物理リソースブロック番号、又は帯域幅、のうちの１つ又は複数を含む。
【００１８】
第１の態様、又は第１の態様の上述した実行方式のいずれか１つを参照して、第１の態様の別の実行方式で、第１のユーザ機器によって、第１の識別子の値、及び第１の参照信号を送信するのに使用されるリソースの第１のパラメータの値に従って、第１の循環シフトインジケーションを判定するステップは、第１のユーザ機器によって、第１の識別子の値、第１のパラメータの値、及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００１９】
第１の態様、又は第１の態様の上述した実行方式のいずれか１つを参照して、第１の態様の別の実行方式で、第１のユーザ機器によって、第１の識別子に従って、選択されることになる循環シフトインジケーションから第１の循環シフトインジケーションを判定するステップは、第１のユーザ機器によって、第１の識別子の値及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００２０】
第１の態様、又は第１の態様の上述した実行方式のいずれか１つを参照して、第１の態様の別の実行方式で、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、第１のユーザ機器が属するＤ２Ｄユーザグループを示すのに使用され、サービスタイプ識別子は、第１のユーザ機器によって提供されるサービスタイプを示すのに使用される。
【００２１】
第２の態様に従って、第２のユーザ機器によって、第１のユーザ機器に関連する第１の識別子を判定するステップと、第２のユーザ機器によって、第１の識別子に従って、選択されることになる循環シフトインジケーションから第１の循環シフトインジケーションを判定するステップと、第２のユーザ機器によって、第１の循環シフトインジケーション及び事前設定された基本シーケンスに従って、第２の参照信号を判定するステップと、第２のユーザ機器によって、第２の参照信号及びチャネルを通じて送信された、受信された第１の参照信号に従って、チャネル上でチャネルサウンディングを実行するステップと、を含み、第１の参照信号は、第１のユーザ機器によって送信される、参照信号送信方法が提供される。
【００２２】
第２の態様を参照して、第２の態様の実行方式で、第２のユーザ機器によって、第１のユーザ機器に関連する第１の識別子を判定するステップは、第２のユーザ機器によって、第１のユーザ機器に送信され、及び第１の識別子を搬送する要求に従って、第１の識別子を判定するステップを含む。
【００２３】
第２の態様、又は第２の態様の上述した実行方式のいずれか１つを参照して、第２の態様の別の実行方式で、第２のユーザ機器によって、第１のユーザ機器に関連する第１の識別子を判定するステップの前に、方法は、第２のユーザ機器によって、要求を第１のユーザ機器に送信するステップをさらに含み、要求は、第１の識別子を搬送する。
【００２４】
第２の態様、又は第２の態様の上述した実行方式のいずれか１つを参照して、第２の態様の別の実行方式で、第２のユーザ機器によって、第１の循環シフトインジケーション及び事前設定された基本シーケンスに従って、第２の参照信号を判定するステップは、第２のユーザ機器によって、第１の循環シフトインジケーションに従って、基本シーケンスで循環シフトを実行した後に第２の参照信号を取得するステップをさらに含む。
【００２５】
第２の態様、又は第２の態様の上述した実行方式のいずれか１つを参照して、第２の態様の別の実行方式で、第２のユーザ機器によって、第１の識別子に従って、選択されることになる循環シフトインジケーションから第１の循環シフトインジケーションを判定するステップは、第２のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ１は、第１の識別子に基づいて判定された値であり、ｋ＝ｍｏｄ（ｍ１，ｎ）である。
【００２６】
第２の態様、又は第２の態様の上述した実行方式のいずれか１つを参照して、第２の態様の別の実行方式で、第１の識別子は、第１のユーザ機器の１つの識別子を含み、ｍ１は、第１の識別子の値に等しい。
【００２７】
第２の態様、又は第２の態様の上述した実行方式のいずれか１つを参照して、第２の態様の別の実行方式で、第１の識別子は、第１のユーザ機器の少なくとも２つの識別子を含み、ｍ１は、事前設定された動作ルールに従って少なくとも２つの識別子の値に基づいて判定された値である。
【００２８】
第２の態様、又は第２の態様の上述した実行方式のいずれか１つを参照して、第２の態様の別の実行方式で、第２のユーザ機器によって、第１の識別子に従って、選択されることになる循環シフトインジケーションから第１の循環シフトインジケーションを判定するステップは、第２のユーザ機器によって、第１の識別子の値、及び第１の参照信号を送信するのに使用されるリソースの第１のパラメータの値に従って、第１の循環シフトインジケーションを判定するステップを含む。
【００２９】
第２の態様、又は第２の態様の上述した実行方式のいずれか１つを参照して、第２の態様の別の実行方式で、第２のユーザ機器によって、第１の識別子の値、及び第１の参照信号を送信するのに使用されるリソースの第１のパラメータの値に従って、第１の循環シフトインジケーションを判定するステップは、第２のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【００３０】
第２の態様、又は第２の態様の上述した実行方式のいずれか１つを参照して、第２の態様の別の実行方式で、第１のパラメータは、リソースに対応する以下のパラメータ、フレーム番号、サブフレーム番号、物理リソースブロック番号、又は帯域幅、のうちの１つ又は複数を含む。
【００３１】
第２の態様、又は第２の態様の上述した実行方式のいずれか１つを参照して、第２の態様の別の実行方式で、第２のユーザ機器によって、第１の識別子の値、及び第１の参照信号を送信するのに使用されるリソースの第１のパラメータの値に従って、第１の循環シフトインジケーションを判定するステップは、第２のユーザ機器によって、第１の識別子の値、第１のパラメータの値、及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００３２】
第２の態様、又は第２の態様の上述した実行方式のいずれか１つを参照して、第２の態様の別の実行方式で、第２のユーザ機器によって、第１の識別子に従って、選択されることになる循環シフトインジケーションから第１の循環シフトインジケーションを判定するステップは、第２のユーザ機器によって、第１の識別子の値及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００３３】
第２の態様、又は第２の態様の上述した実行方式のいずれか１つを参照して、第２の態様の別の実行方式で、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、第１のユーザ機器が属するＤ２Ｄユーザグループを示すのに使用され、サービスタイプ識別子は、第１のユーザ機器によって提供されるサービスタイプを示すのに使用される。
【００３４】
第３の態様に従って、ユーザ機器に関連する第１の識別子を判定するように構成された第１の判定ユニットと、第１の判定ユニットによって判定された第１の識別子に従って、選択されることになる循環シフトインジケーションから第１の循環シフトインジケーションを判定するように構成された第２の判定ユニットと、第２の判定ユニットによって判定された第１の循環シフトインジケーション及び事前設定された基本シーケンスに従って、第１の参照信号を判定するように構成された第３の判定ユニットと、第３の判定ユニットによって判定された第１の参照信号を第２のユーザ機器に送信するように構成された送信ユニットと、を含むユーザ機器が提供される。
【００３５】
第３の態様を参照して、第３の態様の実行方式で、ユーザ機器は、第２のユーザ機器によって送信され、及び第１の識別子を搬送する要求を受信するように構成された受信ユニットをさらに含み、第１の判定ユニットは特に、受信ユニットによって受信された要求において搬送された第１の識別子に従って、第１の識別子を判定するように構成される。
【００３６】
第３の態様、又は第３の態様の上述した実行方式のいずれか１つを参照して、第３の態様の別の実行方式で、ユーザ機器は、第２のユーザ機器によって送信された要求を受信するように構成された受信ユニットをさらに含み、要求は、第１の識別子を搬送する。
【００３７】
第３の態様、又は第３の態様の上述した実行方式のいずれか１つを参照して、第３の態様の別の実行方式で、第１の判定ユニットは特に、ユーザ機器に関連する識別子から事前設定されたルールに従って、識別子を第１の識別子として選択するように構成される。
【００３８】
第３の態様、又は第３の態様の上述した実行方式のいずれか１つを参照して、第３の態様の別の実行方式で、第３の判定ユニットは特に、第１の循環シフトインジケーションに従って、基本シーケンスで循環シフトを実行した後に第１の参照信号を取得するように構成される。
【００３９】
第３の態様、又は第３の態様の上述した実行方式のいずれか１つを参照して、第３の態様の別の実行方式で、第２の判定ユニットは特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【００４０】
第３の態様、又は第３の態様の上述した実行方式のいずれか１つを参照して、第３の態様の別の実行方式で、第１の識別子は、ユーザ機器の１つの識別子を含み、ｍ１は、第１の識別子の値に等しい。
【００４１】
第３の態様、又は第３の態様の上述した実行方式のいずれか１つを参照して、第３の態様の別の実行方式で、第１の識別子は、ユーザ機器の少なくとも２つの識別子を含み、ｍ１は、事前設定された動作ルールに従って少なくとも２つの識別子の値に基づいて判定された値である。
【００４２】
第３の態様、又は第３の態様の上述した実行方式のいずれか１つを参照して、第３の態様の別の実行方式で、第２の判定ユニットは特に、第１の識別子の値、及び第１の参照信号を送信するのに使用されるリソースの第１のパラメータの値に従って、第１の循環シフトインジケーションを判定するように構成される。
【００４３】
第３の態様、又は第３の態様の上述した実行方式のいずれか１つを参照して、第３の態様の別の実行方式で、第２の判定ユニットは特に、ｎ個の選択されることになる循環シフトインジケーションの中でｋ番目の循環シフトインジケーションを第１の循環シフトインジケーションとして判定するようにさらに構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【００４４】
第３の態様、又は第３の態様の上述した実行方式のいずれか１つを参照して、第３の態様の別の実行方式で、第１のパラメータは、リソースに対応する以下のパラメータ、フレーム番号、サブフレーム番号、物理リソースブロック番号、又は帯域幅、のうちの１つ又は複数を含む。
【００４５】
第３の態様、又は第３の態様の上述した実行方式のいずれか１つを参照して、第３の態様の別の実行方式で、第２の判定ユニットは特に、第１の識別子の値、第１のパラメータの値、及び第１のオフセット値に従って、第１の循環シフトインジケーションを判定するようにさらに構成され、第１のオフセット値は、ユーザ機器が位置するセルのセル識別子値、ユーザ機器が属するＤ２Ｄクラスタの識別子値、又は第１の通信デバイスによって構成されたオフセット値である。
【００４６】
第３の態様、又は第３の態様の上述した実行方式のいずれか１つを参照して、第３の態様の別の実行方式で、第２の判定ユニットは特に、第１の識別子の値及び第１のオフセット値に従って、第１の循環シフトインジケーションを判定するように構成され、第１のオフセット値は、ユーザ機器が位置するセルのセル識別子値、ユーザ機器が属するＤ２Ｄクラスタの識別子値、又は第１の通信デバイスによって構成されたオフセット値である。
【００４７】
第３の態様、又は第３の態様の上述した実行方式のいずれか１つを参照して、第３の態様の別の実行方式で、第１の識別子は、ユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、ユーザ機器が属するＤ２Ｄユーザグループを示すのに使用され、サービスタイプ識別子は、ユーザ機器によって提供されるサービスタイプを示すのに使用される。
【００４８】
第４の態様に従って、第１のユーザ機器に関連する第１の識別子を判定するように構成された第１の判定ユニットと、第１の判定ユニットによって判定された第１の識別子に従って、選択されることになる循環シフトインジケーションから第１の循環シフトインジケーションを判定するように構成された第２の判定ユニットと、第２の判定ユニットによって判定された第１の循環シフトインジケーション及び事前設定された基本シーケンスに従って、第２の参照信号を判定するように構成された第３の判定ユニットと、チャネルを通じて送信された第１の参照信号を受信するように構成された受信ユニットであって、第１の参照信号は、第１のユーザ機器によって送信される、受信ユニットと、第３の判定ユニットによって判定された第２の参照信号及び受信ユニットによって受信された第１の参照信号に従って、チャネル上でサウンディングチャネルを実行するように構成されたチャネルサウンディングユニットと、を含むユーザ機器が提供される。
【００４９】
第４の態様を参照して、第４の態様の実行方式で、ユーザ機器は、送信ユニットをさらに含み、送信ユニットは、第１のユーザ機器に、第１の識別子を搬送する要求を送信するように構成され、第１の判定ユニットは特に、送信ユニットによって送信され、及び第１の識別子を搬送する要求に従って、第１の識別子を判定するように構成される。
【００５０】
第４の態様、又は第４の態様の上述した実行方式のいずれか１つを参照して、第４の態様の別の実行方式で、ユーザ機器は、要求を第１のユーザ機器に送信するように構成された送信ユニットをさらに含み、要求は、第１の識別子を搬送する。
【００５１】
第４の態様、又は第４の態様の上述した実行方式のいずれか１つを参照して、第４の態様の別の実行方式で、第３の判定ユニットは特に、第１の循環シフトインジケーションに従って、基本シーケンスで循環シフトを実行した後に第２の参照信号を取得するように構成される。
【００５２】
第４の態様、又は第４の態様の上述した実行方式のいずれか１つを参照して、第４の態様の別の実行方式で、第２の判定ユニットは特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【００５３】
第４の態様、又は第４の態様の上述した実行方式のいずれか１つを参照して、第４の態様の別の実行方式で、第１の識別子は、第１のユーザ機器の１つの識別子を含み、ｍ１は、第１の識別子の値に等しい。
【００５４】
第４の態様、又は第４の態様の上述した実行方式のいずれか１つを参照して、第４の態様の別の実行方式で、第１の識別子は、第１のユーザ機器の少なくとも２つの識別子を含み、ｍ１は、事前設定された動作ルールに従って少なくとも２つの識別子の値に基づいて判定された値である。
【００５５】
第４の態様、又は第４の態様の上述した実行方式のいずれか１つを参照して、第４の態様の別の実行方式で、第２の判定ユニットは特に、第１の識別子の値、及び第１の参照信号を送信するのに使用されるリソースの第１のパラメータの値に従って、第１の循環シフトインジケーションを判定するように構成される。
【００５６】
第４の態様、又は第４の態様の上述した実行方式のいずれか１つを参照して、第４の態様の別の実行方式で、第２の判定ユニットは特に、ｎ個の選択されることになる循環シフトインジケーションの中でｋ番目の循環シフトインジケーションを第１の循環シフトインジケーションとして判定するようにさらに構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【００５７】
第４の態様、又は第４の態様の上述した実行方式のいずれか１つを参照して、第４の態様の別の実行方式で、第１のパラメータは、リソースに対応する以下のパラメータ、フレーム番号、サブフレーム番号、物理リソースブロック番号、又は帯域幅、のうちの１つ又は複数を含む。
【００５８】
第４の態様、又は第４の態様の上述した実行方式のいずれか１つを参照して、第４の態様の別の実行方式で、第２の判定ユニットは特に、第１の識別子の値、第１のパラメータの値、及び第１のオフセット値に従って、第１の循環シフトインジケーションを判定するようにさらに構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００５９】
第４の態様、又は第４の態様の上述した実行方式のいずれか１つを参照して、第４の態様の別の実行方式で、第２の判定ユニットは特に、第１の識別子の値及び第１のオフセット値に従って、第１の循環シフトインジケーションを判定するようにさらに構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【００６０】
第４の態様、又は第４の態様の上述した実行方式のいずれか１つを参照して、第４の態様の別の実行方式で、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、第１のユーザ機器が属するＤ２Ｄユーザグループを示すのに使用され、サービスタイプ識別子は、第１のユーザ機器によって提供されるサービスタイプを示すのに使用される。
【００６１】
本発明の実施形態では、第１のユーザ機器は、第１のユーザ機器に関連する第１の識別子に従って、第１の循環シフトインジケーションを選択し、第１の循環シフトインジケーション及び事前設定された基本シーケンスに基づいて、第１の参照信号を生成し、次いで、第１の参照信号を第２のユーザ機器に送信し、それによって、Ｄ２Ｄ通信において参照信号送信を実行する。
【００６２】
本発明の実施形態における技術的解決策をより明確に説明するために、以下では、本発明の実施形態を説明するために必要な添付図面を簡潔に導入する。明らかに、以下の説明における添付図面は、本発明の一部の実施形態を示しているにすぎず、当業者はなお、創造的努力なしに、それらの添付図面から他の図面を導くことができる。
【図面の簡単な説明】
【００６３】
【図１】本発明の実施形態に従った参照信号送信方法の概略的なフローチャートである。
【図２】本発明の別の実施形態に従った参照信号送信方法の概略的なフローチャートである。
【図３】本発明の実施形態に従ったユーザ機器の概略的なブロック図である。
【図４】本発明の実施形態に従ったユーザ機器の概略的なブロック図である。
【図５】本発明の実施形態に従ったユーザ機器の概略的なブロック図である。
【図６】本発明の実施形態に従ったユーザ機器の概略的なブロック図である。
【発明を実施するための形態】
【００６４】
以下では、本発明の実施形態における添付図面を参照して、本発明の実施形態における技術的解決策を明確且つ完全に説明する。明らかに、説明される実施形態は、本発明の実施形態の一部であり、全てではない。創造的努力なしに、本発明の実施形態に基づいて当業者によって得られる全ての他の実施形態は、本発明の保護範囲に入ることになる。
【００６５】
本発明の技術的解決策は、グローバルシステムフォーモバイルコミュニケーションズ（英語：Ｇｌｏｂａｌ  Ｓｙｓｔｅｍ  ｆｏｒ  Ｍｏｂｉｌｅ  ｃｏｍｍｕｎｉｃａｔｉｏｎｓ，略してＧＳＭ）、符号分割多元アクセス（英語：Ｃｏｄｅ  Ｄｉｖｉｓｉｏｎ  Ｍｕｌｔｉｐｌｅ  Ａｃｃｅｓｓ，略してＣＤＭＡ）システム、広帯域符号分割多元アクセス（英語：Ｗｉｄｅｂａｎｄ  Ｃｏｄｅ  Ｄｉｖｉｓｉｏｎ  Ｍｕｌｔｉｐｌｅ  Ａｃｃｅｓｓ，略してＷＣＤＭＡ）システム、汎用パケット無線サービス（英語：Ｇｅｎｅｒａｌ  Ｐａｃｋｅｔ  Ｒａｄｉｏ  Ｓｅｒｖｉｃｅ，略してＧＰＲＳ）、及びＬＴＥシステム、ロングタームエボリューションアドバンスト（英語：Ｌｏｎｇ  Ｔｅｒｍ  Ｅｖｏｌｕｔｉｏｎ  Ａｄｖａｎｃｅｄ，略してＬＴＥ−Ａ）システム、並びにユニバーサルモバイルテレコミュニケーションシステム（英語：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，略してＵＭＴＳ）などの、種々の通信システムに適用されてもよいことが理解されるべきである。
【００６６】
本発明の実施形態において、ユーザ機器は、移動局（英語：Ｍｏｂｉｌｅ  Ｓｔａｔｉｏｎ，略してＭＳ）、移動端末（英語：Ｍｏｂｉｌｅ  Ｔｅｒｍｉｎａｌ）、携帯電話（英語：Ｍｏｂｉｌｅ  Ｔｅｌｅｐｈｏｎｅ）、ハンドセット（英語：ｈａｎｄｓｅｔ）、及びポータブル機器（英語：ｐｏｒｔａｂｌｅ  ｅｑｕｉｐｍｅｎｔ）などを含むが、それらに限定されないことが理解されるべきである。ユーザ機器は、無線アクセスネットワーク（英語：Ｒａｄｉｏ  Ａｃｃｅｓｓ  Ｎｅｔｗｏｒｋ，略してＲＡＮ）を使用することによって、１つ又は複数のコアネットワークと通信してもよい。例えば、ユーザ機器は、携帯電話（若しくは「セルラー」電話と称される）、又は無線通信機能を有するコンピュータであってもよく、ユーザ機器はさらに、ポータブル、ポケットサイズ、ハンドヘルド、コンピュータ内蔵、又は車載移動式装置であってもよい。
【００６７】
本発明の実施形態では、基地局は、ＧＳＭ又はＣＤＭＡにおける基地局（英語：Ｂａｓｅ  Ｔｒａｎｓｃｅｉｖｅｒ  Ｓｔａｔｉｏｎ，略してＢＴＳ）であってもよく、また、ＷＣＤＭＡにおける基地局（ＮｏｄｅＢ）であってもよく、さらに、ＬＴＥにおける進化型ＮｏｄｅＢ（英語：ｅｖｏｌｖｅｄ  ＮｏｄｅＢ，略してｅＮＢ又はｅ−ＮｏｄｅＢ）であってもよく、本発明の実施形態では限定されない。
【００６８】
ＬＴＥでは、ユーザ機器は、チャネルサウンディングを実行するためにアップリンク参照信号を使用する。アップリンク参照信号は、復調参照信号（英語：Ｄｅｍｏｄｕｌａｔｉｏｎ  Ｒｅｆｅｒｅｎｃｅ  Ｓｉｇｎａｌ，略してＤＭＲＳ）であってもよく、又はサウンディング参照信号（英語：Ｓｏｕｎｄｉｎｇ  Ｒｅｆｅｒｅｎｃｅ  Ｓｉｇｎａｌ，略してＳＲＳ）であってもよい。ユーザ機器がアップリンク信号を送信するとき、ユーザ機器は、複数の選択されることになる循環シフトインジケーションから循環シフトインジケーションを選択し、及び選択された循環シフトインジケーションに従って、基本シーケンスで循環シフトを実行して、参照信号を生成する。異なる循環シフトインジケーションに従って生成された参照信号は、相互に直交する。したがって、同一の時間−周波数リソース上で送信された参照信号の間の干渉が回避される。
【００６９】
Ｄ２Ｄ通信における参照信号送信について、ＬＴＥアップリンクにおける参照信号送信方式に対し、参照がなされることがある。特に、同一の時間−周波数リソースを使用してユーザ機器の間で送信された参照信号の間の干渉を回避するために、選択されることになる循環シフトインジケーションを設定する上述した方式と同様の方式が、設計のために代わりに使用されてもよい。例えば、８個の循環シフトインジケーションが事前構成され、送信端に位置する２つのユーザ機器が同一の時間−周波数リソース上で参照信号を送信するとき、２つのユーザ機器の各々は、８個の循環シフトインジケーションから１つをランダムに選択して、参照信号を生成してもよい。この設計方式に従って、Ｄ２Ｄ通信では、同一の時間−周波数リソース上で２つのユーザ機器によって送信された参照信号の間で干渉が発生する確率が著しく低減する。
【００７０】
しかしながら、上述した例で示されたように、２つのユーザ機器が同一の循環シフトインジケーションを選択するとき、２つのユーザ機器によって送信された参照信号はなお、相互に干渉し、確率は１／６４である。上述したことに基づいて、本発明の実施形態は、干渉をさらに低減させるための参照信号送信方法を提供する。
【００７１】
図１は、本発明の実施形態に従った参照信号送信方法の概略的なフローチャートである。図１における方法は、第１のユーザ機器によって実行されてもよい。
【００７２】
１１０．第１のユーザ機器は、第１のユーザ機器に関連する第１の識別子を判定する。
【００７３】
第１の識別子は、第１のユーザ機器を含む少なくとも１つのユーザ機器に対して特に構成された識別子であってもよい。特に、第１の識別子は、第１のユーザ機器に対して特に構成された識別子であってもよい。例えば、第１の識別子は、以下の識別子、第１のユーザ機器のＤ２Ｄ識別子、国際移動加入者識別番号（英語：Ｉｎｔｅｒｎａｔｉｏｎａｌ  Ｍｏｂｉｌｅ  Ｓｕｂｓｃｒｉｂｅｒ  Ｉｄｅｎｔｉｔｙ，略してＩＭＳＩ）、又は一時移動加入者識別番号（英語：Ｔｅｍｐｏｒａｒｙ  Ｍｏｂｉｌｅ  Ｓｕｂｓｃｒｉｂｅｒ  Ｉｄｅｎｔｉｔｙ，略してＴＭＳＩ）、のうちの１つ又は複数を含んでもよい。代わりに、第１の識別子は、第１のユーザ機器を含む同一のグループ又は同一のタイプのユーザ機器に対して構成された共同識別子であってもよい。例えば、第１の識別子は、以下の識別子、第１のユーザ機器が属するＤ２ＤユーザグループのＤ２Ｄユーザグループ識別子、第１のユーザ機器によって提供されるサービスタイプのサービスタイプ識別子、又は第１のユーザ機器が属するＤ２ＤクラスタのＤ２Ｄクラスタ識別子、のうちの１つ又は複数を含んでもよい。
【００７４】
１２０．第１のユーザ機器は、第１の識別子に従って、選択されることになる循環シフトインジケーションから第１の循環シフトインジケーションを判定する。
【００７５】
第１の循環シフトインジケーションは、例えば、８個の選択されることになる循環シフトインジケーションの中で第２の循環シフトインジケーションとすることができる、１つの選択されることになる循環シフトインジケーションであることが理解されるべきである。
【００７６】
１３０．第１のユーザ機器は、第１の循環シフトインジケーション及び事前設定された基本シーケンスに従って、第１の参照信号を判定する。
【００７７】
選択されることになる循環シフトインジケーションの中で異なる循環シフトインジケーションに基づいて生成された参照信号が直交することが理解されるべきである。特に、２つのユーザ機器（ユーザ機器１及びユーザ機器２）が同一の時間−周波数リソース上で参照信号を送信するとき、ユーザ機器１及びユーザ機器２によって送信された参照信号が異なる循環シフトインジケーションに基づいて生成される場合、ユーザ機器１及びユーザ機器２によって送信された参照信号は直交し、相互に干渉しない。
【００７８】
基本シーケンスは事前構成されてもよく、複数の循環シフトインジケーションは、基本シーケンスに対して構成されることが理解されるべきである。送信端としてのユーザ機器が循環シフトインジケーションを選択するとき、ユーザ機器は、循環シフトインジケーションに従って基本シーケンスで循環シフトを実行して、参照信号を生成してもよい。
【００７９】
本発明のこの実施形態は、選択されることになる循環シフトインジケーションの数に特定の制限を設けず、例えば、数は８、１０、又はいずれかの他の数であってもよいことがまた理解されるべきである。
【００８０】
第１の識別子は、第１のユーザ機器に関連する１つ又は複数の識別子であってもよいことが留意されるべきである。例えば、第１の識別子は、第１のユーザ機器のＤ２Ｄ識別子であってもよく、又は第１の識別子は、第１のユーザ機器のＤ２Ｄ識別子及びＤ２Ｄユーザグループ識別子を含む。
【００８１】
１４０．第１のユーザ機器は、第１の参照信号を第２のユーザ機器に送信する。
【００８２】
本発明のこの実施形態では、第１のユーザ機器は、第１のユーザ機器に関連する第１の識別子に従って、第１の循環シフトインジケーションを選択し、第１の循環シフトインジケーション及び事前設定された基本シーケンスに基づいて、第１の参照信号を生成し、次いで、第１の参照信号を第２のユーザ機器に送信し、それによって、Ｄ２Ｄ通信において参照信号送信を実行する。
【００８３】
さらに、第１のユーザ機器は、第１のユーザ機器の第１の識別子に従って、循環シフトインジケーションを選択する。第１の識別子は、第１のユーザ機器に関連し、異なるユーザ機器の第１の識別子は概して、相互に異なる。したがって、異なるユーザ機器が異なるユーザ機器の第１の識別子に基づいて同一の循環シフトインジケーションを選択する確率は低い。したがって、生成された参照信号の間で衝突が発生する確率は低く、Ｄ２Ｄ通信においてユーザ機器の間で送信された参照信号の間の干渉が低減する。
【００８４】
参照信号は、ＤＭＲＳであってもよく、又は他の参照信号、例えば、ＳＲＳであってもよく、本発明のこの実施形態はそれらに特定の制限を設けないことが理解されるべきである。特に、参照信号がＤＭＲＳであるとき、ＤＭＲＳは概して、ユーザ機器の間で送信されるデジタル信号で搬送され、及び送信され、すなわち、ＤＭＲＳ及びデジタル信号は、同一の周波数リソース上で送信される。参照信号がＳＲＳであるとき、ＳＲＳは、事前定義され、及びＳＲＳによって占有されたリソースを示すのに使用されるＳＲＳパラメータに従って送信されてもよく、ＳＲＳパラメータは、サウンディング帯域幅、ＳＲＳ送信間隔、及び周波数ホッピングモードなどを含む。
【００８５】
任意選択で、第１のユーザ機器は、第１の識別子の値に従って、及びあらかじめ定められた動作ルールに従って計算を実行してもよく、計算結果と選択されることになる循環シフトインジケーションとの間で１対１の対応関係が存在する。特に、ｎ個の循環シフトインジケーションが事前設定され、モジュロ演算が第１のユーザ機器の第１の識別子の値について実行されてもよく、剰余は、０からｎ−１に変化する（０及びｎ−１を含む）ことが想定される。次いで、対応関係がｎ個の剰余結果とｎ個の循環シフトインジケーションとの間で設定される。さらに、第１の循環シフトインジケーションが選択されるとき、基本シーケンスで循環シフトを実行するために第１の循環シフトインジケーションが使用され、第１の参照信号（第１の基準シーケンスとも称されてもよい）が生成されてもよい。
【００８６】
モジュロ演算は、あらかじめ定められた動作ルールの実行方式にすぎないことが理解されるべきである。実際に、別の動作ルールが使用されてもよい。例えば、第１の識別子の値が２０であり、ｎ＝８である場合、ｎ個の循環シフトインジケーションの中で（２＋０）番目の循環シフトインジケーションが第１の循環シフトインジケーションとして選択される。同様に、第１の識別子の値が２１１であるとき、（２＋１＋１）番目の循環シフトインジケーションが第１の循環シフトインジケーションとして選択される。第１の識別子が２つの識別子（別個に、識別子１及び識別子２である）を含み、識別子１の値が３０であり、識別子２の値が１４であるとき、（３＋０＋１＋４）番目の循環シフトインジケーションが第１の循環シフトインジケーションとして選択される。
【００８７】
本発明のこの実施形態では、第１のユーザ機器は、第１のユーザ機器の第１の識別子の値に従って、循環シフトインジケーションを選択する。第１の識別子は、第１のユーザ機器に関連し、異なるユーザ機器の第１の識別子の値は概して、相互に異なる。したがって、異なるユーザ機器が異なるユーザ機器の第１の識別子の値に基づいて同一の循環シフトインジケーションを選択する確率は低い。したがって、生成された参照信号の間で衝突が発生する確率は低く、Ｄ２Ｄ通信においてユーザ機器の間で送信された参照信号の間の干渉が低減する。
【００８８】
任意選択で、別の実施形態では、ステップ１２０は、第１のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ１は、第１の識別子に基づいて判定された値であり、ｋ＝ｍｏｄ（ｍ１，ｎ）である。
【００８９】
ｍｏｄ（ｘ，ｙ）は、ｘをｙで除算することによって取得された剰余を示すことが理解されるべきである。
【００９０】
任意選択の方式１：第１の識別子は、第１のユーザ機器の１つの識別子を含み、ｍ１は、第１の識別子の値に等しい。
【００９１】
例えば、第１の識別子がＤ２Ｄ識別子である場合、Ｄ２Ｄ識別子の値は、ＩＤ＿ｄ２ｄであり、ｎ＝８であり、ｍ１＝ＩＤ＿ｄ２ｄであり、ｋ＝ｍｏｄ（ＩＤ＿ｄ２ｄ，８）である。
【００９２】
別の例では、第１の識別子がＤ２Ｄユーザグループ識別子である場合、Ｄ２Ｄユーザグループ識別子の値は、ＩＤ＿ｄ２ｄ＿ｇｒｏｕｐであり、ｎ＝８であり、ｍ１＝ＩＤ＿ｄ２ｄ＿ｇｒｏｕｐであり、ｋ＝ｍｏｄ（ＩＤ＿ｄ２ｄ＿ｇｒｏｕｐ，８）である。
【００９３】
別の例では、第１の識別子がサービスタイプ識別子である場合、サービスタイプ識別子の値は、ＩＤ＿ｄ２ｄ＿ｓｅｒｖｉｃｅであり、ｎ＝８であり、ｍ１＝ＩＤ＿ｄ２ｄ＿ｓｅｒｖｉｃｅであり、ｋ＝ｍｏｄ（ＩＤ＿ｄ２ｄ＿ｓｅｒｖｉｃｅ，８）である。
【００９４】
別の例では、第１の識別子がＩＭＳＩである場合、ｎ＝８であり、ｍ１＝ＩＭＳＩであり、ｋ＝ｍｏｄ（ＩＭＳＩ，８）である。
【００９５】
別の例では、第１の識別子がＴＭＳＩである場合、ｎ＝８であり、ｍ１＝ＴＭＳＩあり、ｋ＝ｍｏｄ（ＴＭＳＩ，８）である。
【００９６】
任意選択の方式２：第１の識別子は、第１のユーザ機器の少なくとも２つの識別子を含み、ｍ１は、事前設定された動作ルールに従って少なくとも２つの識別子の値に基づいて判定された値である。
【００９７】
この任意選択の方式では、第１のユーザ機器に関連する複数の識別子は、同時に考慮され、それによって、異なるユーザ機器が同一の循環シフトインジケーションを選択する確率がさらに低減し、ユーザ機器の間で送信された参照信号の間の干渉がさらに低減する。
【００９８】
例えば、第１の識別子は、Ｄ２Ｄ識別子及びＤ２Ｄユーザグループ識別子を含む。Ｄ２Ｄ識別子の値は、ＩＤ＿ｄ２ｄである。Ｄ２Ｄユーザグループ識別子の値は、ＩＤ＿ｄ２ｄ＿ｇｒｏｕｐである。ｎ＝８であり、事前設定された動作ルールが、２つの識別子の値を追加している場合、ｍ１＝ＩＤ＿ｄ２ｄ＋ＩＤ＿ｄ２ｄ＿ｇｒｏｕｐであり、ｋ＝ｍｏｄ（ＩＤ＿ｄ２ｄ＋ＩＤ＿ｄ２ｄ＿ｇｒｏｕｐ，８）である。
【００９９】
上述した任意選択の方式は、説明のための例として使用されるにすぎないことが理解されるべきである。実際に、ｎは、２以上のいずれかの自然数として選択されてもよい。加えて、第１の識別子が第１のユーザ機器の１つの識別子である場合、ｍ１は、事前設定された動作ルールを使用することによって取得されてもよい。例えば、第１の識別子の値が１６進数である場合、第１の識別子の値は、１０進数値に変換されてもよく、次いで、モジュロ演算が実行される。第１の識別子が第１のユーザ機器の複数の識別子を含む場合、上述した事前設定された動作ルールは、追加したものを含むがそれに限定されない。例えば、異なる識別子の値は、異なる識別子の重み値によって乗算されてもよく、次いで、乗算結果が追加される。
【０１００】
任意選択で、実施形態では、ステップ１２０は、第１のユーザ機器によって、第１の識別子の値及び第１のオフセット値に従って、第１の循環シフトインジケーションを判定するステップを含み、第１のオフセット値は、第１のユーザ機器が位置するセルのセル識別子（若しくは、セルＩＤと称される）値、第１のユーザ機器が属するＤ２Ｄクラスタの識別子値、又は第１の通信デバイスによって構成されたオフセット値である。
【０１０１】
第１のオフセット値が、第１のユーザ機器が位置するセルのセル識別子値であるとき、第１のユーザ機器及び第２のユーザ機器は、同一のセルに位置してもよいことが留意されるべきである。したがって、第２のユーザ機器は、第２のユーザ機器が位置するセルのセル識別子値を使用することによって、第１のオフセット値を取得することができる。
【０１０２】
第１のオフセット値が第１のユーザ機器が位置するＤ２Ｄクラスタの識別子値であるとき、第１のユーザ機器及び第２のユーザ機器は、同一のＤ２Ｄクラスタに位置してもよい。したがって、第２のユーザ機器は、第２のユーザ機器が位置するＤ２Ｄクラスタの識別子を使用することによって、第１のオフセット値を取得することができる。
【０１０３】
代わりに、第１のオフセット値は、第１の通信デバイスによって構成されたオフセット値であってもよい。第１の通信デバイスは、基地局であってもよく、基地局は、第１のユーザ機器及び第２のユーザ機器に対するオフセット値を同時に構成する。第１のユーザ機器及び第２のユーザ機器が同一のＤ２Ｄクラスタに位置するとき、第１の通信デバイスは、Ｄ２Ｄクラスタのクラスタヘッドであってもよい。
【０１０４】
例えば、オフセット値は、Ｎ＿ｏｆｆｓｅｔとして示される。第１の循環シフトインジケーションは、８個の選択されることになる循環シフトインジケーションの中で［ｍｏｄ（ＩＤ＿ｄ２ｄ＋Ｎ＿ｏｆｆｓｅｔ，８）］番目の循環シフトインジケーションであってもよく、又は第１の循環シフトインジケーションは、８個の選択されることになる循環シフトインジケーションの中で［ｍｏｄ（ＩＤ＿ｄ２ｄ＋ＩＤ＿ｄ２ｄ＿ｇｒｏｕｐ＋Ｎ＿ｏｆｆｓｅｔ，８）］番目の循環シフトインジケーションであってもよい。本発明のこの実施形態の目的は、ユーザ機器が同一の循環シフトインジケーションを選択する確率を低減させることであるが、特定の動作方式を限定するものではない。実際に、目的を達成することができる全ての動作方式は、本発明のこの実施形態の保護範囲に入ることになる。
【０１０５】
任意選択で、別の実施形態では、ステップ１２０は、第１のユーザ機器によって、第１の識別子の値及び第１の参照信号を送信するのに使用されるリソースの第１のパラメータに従って、第１の循環シフトインジケーションを判定するステップを含む。
【０１０６】
第１のパラメータは、第１の参照信号を送信するのに使用されるリソースの時間ドメイン位置及び／又は周波数ドメイン位置を示すために使用されてもよいことが理解されるべきである。
【０１０７】
任意選択で、第１のパラメータは、第１のデータを送信するためのリソースのパラメータであってもよく、第１のデータは、第１の参照信号と共に送信されたデータである。例えば、第１の参照信号がＤＭＲＳであり、並びにＤＭＲＳが概してユーザ機器の間で送信されたデータと共に混合及び送信される場合、第１のパラメータは、送信されたデータを送信するためのリソースのパラメータであってもよい。
【０１０８】
本発明のこの実施形態では、第１のユーザ機器は、第１のユーザ機器の第１の識別子の値及び第１の参照信号を送信するのに使用されるリソースの第１のパラメータに従って、循環シフトインジケーションを選択する。第１の識別子は、第１のユーザ機器に関連し、異なるユーザ機器の第１の識別子の値は概して、相互に異なる。したがって、異なるユーザ機器が異なるユーザ機器の第１の識別子の値に基づいて同一の循環シフトインジケーションを選択する確率は低い。したがって、生成された参照信号の間で衝突が発生する確率は低く、Ｄ２Ｄ通信においてユーザ機器の間で送信された参照信号の間の干渉が低減する。
【０１０９】
異なる循環シフトインジケーションに従って判定された参照信号を使用するチャネル推定性能は、良好又は不良であることがある。第１の識別子に従って第１のユーザ機器によって判定された参照信号を使用するチャネル推定性能は、比較的不良であることがある。第１の参照信号が第１の識別子及び事前設定された動作ルールにのみ従って判定され、第１の識別子が比較的固定であるので、選択された第１の循環シフトインジケーションは比較的固定されている場合、時間ごとに判定された第１の参照信号を使用する信号推定性能は、比較的不良であることがある。本発明のこの実施形態では、第１の循環シフトインジケーションが選択される場合、第１のユーザ機器の第１の識別子が考慮されるだけでなく、参照信号を送信するのに使用されるリソースの第１のパラメータも考慮される。参照信号を送信するためのリソースは、リアルタイムで変化し、それによって、同一のユーザ機器によって選択された第１の循環シフトインジケーションは固定されず、時間ごとに判定された第１の参照信号を使用するチャネル推定性能が比較的不良であるケースを回避する。
【０１１０】
第１の参照信号を送信するためのリソースは、時間ドメインリソース及び／又は周波数ドメインリソースであってもよい。第１の参照信号を送信するのに使用されるリソースの第１のパラメータは、リソースに対応する以下のパラメータ、フレーム番号、サブフレーム番号、物理リソースブロック（英語：Ｐｈｙｓｉｃａｌ  Ｒｅｓｏｕｒｃｅ  Ｂｌｏｃｋ，略して、ＰＲＢ）番号、又は帯域幅、のうちの１つ又は複数であってもよい。
【０１１１】
任意選択で、別の実施形態では、第１のユーザ機器によって、第１の識別子の値及び第１の参照信号を送信するのに使用されるリソースの第１のパラメータに従って、第１の循環シフトインジケーションを判定するステップは、第１のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ２は、事前設定された動作ルールに従って第１の識別子の値及び第１のパラメータに基づいて判定された値であり、ｋ＝ｍｏｄ（ｍ２，ｎ）である。
【０１１２】
本発明のこの実施形態では、第１のユーザ機器は、第１のユーザ機器の第１の識別子の値及び第１の参照信号を送信するのに使用されるリソースの第１のパラメータに従って、循環シフトインジケーションを選択する。第１の識別子は、第１のユーザ機器に関連し、異なるユーザ機器の第１の識別子の値は概して、相互に異なる。したがって、異なるユーザ機器が異なる第１の識別子の値に基づいて同一の循環シフトインジケーションを選択する確率は低い。したがって、生成された参照信号の間で衝突が発生する確率は低く、Ｄ２Ｄ通信においてＵＥの間で送信された参照信号の間の干渉が低減する。
【０１１３】
ｎ＝８であり、第１の識別子はＤ２Ｄ識別子であり、Ｄ２Ｄ識別子の値がＩＤ＿ｄ２ｄであることが、説明のための例として使用される。
【０１１４】
任意選択の方式１：第１のパラメータは、第１の参照信号によって占有されたサブフレームの番号であり、サブフレーム番号は、Ｎ＿ｓｕｂｆｒａｍｅとして示される。事前設定された動作ルールがｍ２＝ＩＤ＿ｄ２ｄ＋Ｎ＿ｓｕｂｆｒａｍｅである場合、ｋ＝ｍｏｄ（ＩＤ＿ｄ２ｄ＋Ｎ＿ｓｕｂｆｒａｍｅ，８）である。
【０１１５】
任意選択の方式２：第１のパラメータは、第１の参照信号によって占有されたフレームの番号であり、フレーム番号は、Ｎ＿ｆｒａｍｅとして示される。事前設定された動作ルールがｍ２＝ＩＤ＿ｄ２ｄ＋Ｎ＿ｆｒａｍｅである場合、ｋ＝ｍｏｄ（ＩＤ＿ｄ２ｄ＋Ｎ＿ｆｒａｍｅ，８）である。
【０１１６】
任意選択の方式３：第１のパラメータは、第１の参照信号によって占有されたサブフレーム及びフレームの番号を含み、サブフレーム番号は、Ｎ＿ｓｕｂｆｒａｍｅとして示され、フレーム番号は、Ｎ＿ｆｒａｍｅとして示される。事前設定された動作ルールがｍ２＝ＩＤ＿ｄ２ｄ＋Ｎ＿ｆｒａｍｅ＊１０＋Ｎ＿ｓｕｂｆｒａｍｅである場合、ｋ＝ｍｏｄ（ＩＤ＿ｄ２ｄ＋Ｎ＿ｆｒａｍｅ＊１０＋Ｎ＿ｓｕｂｆｒａｍｅ，８）である。
【０１１７】
任意選択の方式４：第１のパラメータは、第１の参照信号によって占有されたサブフレーム及びＰＲＢ、並びに帯域幅の番号を含み、サブフレーム番号は、Ｎ＿ｓｕｂｆｒａｍｅとして示され、帯域幅は、Ｎ＿ｂａｎｄｗｉｄｔｈとして示され、ＰＲＢ番号は、Ｎ＿ＰＲＢとして示される。事前設定された動作ルールがｍ２＝ＩＤ＿ｄ２ｄ＋Ｎ＿ｓｕｂｆｒａｍｅ＊Ｎ＿ｂａｎｄｗｉｄｔｈ＋Ｎ＿ＰＲＢである場合、ｋ＝ｍｏｄ（ＩＤ＿ｄ２ｄ＋Ｎ＿ｓｕｂｆｒａｍｅ＊Ｎ＿ｂａｎｄｗｉｄｔｈ＋Ｎ＿ＰＲＢ，８）である。
【０１１８】
任意選択の方式５：第１のパラメータは、第１の参照信号によって占有されたフレーム及びＰＲＢの番号、並びに帯域幅を含み、フレーム番号は、Ｎ＿ｆｒａｍｅとして示され、帯域幅は、Ｎ＿ｂａｎｄｗｉｄｔｈとして示され、ＰＲＢ番号は、Ｎ＿ＰＲＢとして示される。事前設定された動作ルールがｍ２＝ＩＤ＿ｄ２ｄ＋Ｎ＿ｆｒａｍｅ＊Ｎ＿ｂａｎｄｗｉｄｔｈ＋Ｎ＿ＰＲＢである場合、ｋ＝ｍｏｄ（ＩＤ＿ｄ２ｄ＋Ｎ＿ｆｒａｍｅ＊Ｎ＿ｂａｎｄｗｉｄｔｈ＋Ｎ＿ＰＲＢ，８）である。
【０１１９】
任意選択の方式６：第１のパラメータは、第１の参照信号によって占有されたフレーム、サブフレーム及びＰＲＢの番号、並びに帯域幅を含み、フレーム番号は、Ｎ＿ｆｒａｍｅとして示され、サブフレーム番号は、Ｎ＿ｓｕｂｆｒａｍｅとして示され、帯域幅は、Ｎ＿ｂａｎｄｗｉｄｔｈとして示され、ＰＲＢ番号は、Ｎ＿ＰＲＢとして示される。事前設定された動作ルールがｍ２＝ＩＤ＿ｄ２ｄ＋（Ｎ＿ｆｒａｍｅ＊１０＋Ｎ＿ｓｕｂｆｒａｍｅ）＊Ｎ＿ｂａｎｄｗｉｄｔｈ＋Ｎ＿ＰＲＢである場合、ｋ＝ｍｏｄ（ＩＤ＿ｄ２ｄ＋（Ｎ＿ｆｒａｍｅ＊１０＋Ｎ＿ｓｕｂｆｒａｍｅ）＊Ｎ＿ｂａｎｄｗｉｄｔｈ＋Ｎ＿ＰＲＢ，８）である。
【０１２０】
上述した任意選択の方式は、説明のための例として使用されるにすぎないことが理解されるべきである。実際に、ｎは、２以上のいずれかの自然数として選択されてもよい。本発明のこの実施形態では、ＩＤ＿ｄ２ｄは、上記で説明されたいずれかの第１の識別子と置き換えられてもよく、例えば、ＩＤ＿ｄ２ｄは、ＩＤ＿ｄ２ｄ＿ｇｒｏｕｐ及びＩＤ＿ｄ２ｄ＿ｓｅｒｖｉｃｅの組み合わせと置き換えられる。
【０１２１】
任意選択で、第１のユーザ機器によって、第１の識別子の値、及び第１の参照信号を送信するのに使用されるリソースの第１のパラメータに従って、第１の循環シフトインジケーションを判定するステップは、第１のユーザ機器によって、第１の識別子の値、第１のパラメータの値、及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０１２２】
第１のオフセット値は、第１のユーザ機器が位置するセルのセル識別子値であり、第１のユーザ機器及び第２のユーザ機器は、同一のセルに位置してもよいことが留意されるべきである。したがって、第２のユーザ機器は、第２のユーザ機器が位置するセルのセル識別子を使用することによって、第１のオフセット値を取得することができる。
【０１２３】
第１のオフセット値が第１のユーザ機器が位置するＤ２Ｄクラスタの識別子であるとき、第１のユーザ機器及び第２のユーザ機器は、同一のＤ２Ｄクラスタに位置してもよい。したがって、第２のユーザ機器は、第２のユーザ機器が位置するＤ２Ｄクラスタの識別子を使用することによって、第１のオフセット値を取得することができる。
【０１２４】
代わりに、第１のオフセット値は、第１の通信デバイスによって構成されたオフセット値であってもよい。第１の通信デバイスは基地局であってもよく、基地局は、第１のユーザ機器及び第２のユーザ機器に対するオフセット値を同時に構成する。第１のユーザ機器及び第２のユーザ機器が同一のＤ２Ｄクラスタに位置するとき、第１の通信デバイスは、Ｄ２Ｄクラスタのクラスタヘッドであってもよい。
【０１２５】
例えば、オフセット値は、Ｎ＿ｏｆｆｓｅｔとして示される。第１の循環シフトインジケーションは、８個の選択されることになる循環シフトインジケーションの中で［ｍｏｄ（ＩＤ＿ｄ２ｄ＋（Ｎ＿ｆｒａｍｅ＊１０＋Ｎ＿ｓｕｂｆｒａｍｅ）＊Ｎ＿ｂａｎｄｗｉｄｔｈ＋Ｎ＿ＰＲＢ＋Ｎ＿ｏｆｆｓｅｔ，８）］番目の循環シフトインジケーションであってもよく、又は第１の循環シフトインジケーションは、８個の選択されることになる循環シフトインジケーションの中で［ｍｏｄ（ＩＤ＿ｄ２ｄ＋Ｎ＿ｆｒａｍｅ＊１０＋Ｎ＿ｓｕｂｆｒａｍｅ＋Ｎ＿ｏｆｆｓｅｔ，８）］番目の循環シフトインジケーションであってもよい。本発明のこの実施形態の目的は、異なるユーザ機器が同一の循環シフトインジケーションを選択する確率を低減させることであるが、特定の動作方式に限定しない。実際に、目的を達成することができる全ての動作方式が、本発明のこの実施形態の保護範囲に入ることになる。
【０１２６】
任意選択で、ステップ１１０は、第１のユーザ機器によって、第２のユーザ機器によって送信された、受信された要求において搬送された第１の識別子に従って、第１の識別子を判定するステップを含む。
【０１２７】
特に、第２のユーザ機器は、要求（例えば、要求は、発見信号要求であってもよい）を周囲のユーザ機器に直接送信し、及び第１の識別子を要求に追加してもよい。代わりに、第２のユーザ機器は、要求を基地局に送信し、基地局は、ページング信号を第２のユーザ機器の周囲のユーザ機器に送信し、及び第１の識別子をページング信号に追加する。
【０１２８】
第２のユーザ機器が、第１のＤ２Ｄサービスを提供することができるユーザ機器を探索することを要求する場合、第２のユーザ機器は、発見信号要求を周囲のユーザ機器に送信し、及び第１のＤ２Ｄサービスに対応するＤ２Ｄサービスタイプ識別子を発見信号要求に追加する。Ｄ２Ｄサービスタイプを提供することができる第１のユーザ機器は、発見信号要求を受信し、及び発見信号要求において搬送されたＤ２Ｄサービスタイプ識別子に従って、第１の参照信号を生成する。
【０１２９】
代わりに、第２のユーザ機器が、第１のＤ２Ｄサービスを提供することができるユーザ機器を探索することを要求する場合、第２のユーザ機器は、発見信号要求を基地局に送信し、及び第１のＤ２Ｄサービスに対応するＤ２Ｄサービスタイプ識別子を発見信号要求に追加する。発見信号要求を受信した後、基地局は、ページング信号を第２のユーザ機器の周囲のユーザ機器に送信し、及びＤ２Ｄサービスタイプ識別子をページング信号に追加する。Ｄ２Ｄサービスタイプを提供することができる第１のユーザ機器は、発見信号要求を受信し、及び発見信号要求において搬送されたＤ２Ｄサービスタイプ識別子に従って、第１の参照信号を生成する。
【０１３０】
任意選択で、ステップ１１０は、第１のユーザ機器によって、第１のユーザ機器に関連する識別子から事前設定されたルールに従って、識別子を第１の識別子として選択するステップを含む。
【０１３１】
特に、第１のユーザ機器は、第１のユーザ機器に関連する複数の識別子を有し、第１のユーザ機器は、参照信号を周期的に転送する。第１のユーザ機器が参照信号を送信する準備ができているとき、第１のユーザ機器は、識別子を、複数の関連する識別子からランダムに、又はあらかじめ定められた順序に従って選択し、及び選択された識別子を第１の循環シフトインジケーションとして判定してもよい。
【０１３２】
例えば、第１のユーザ機器は、３つのサービスタイプを提供することができる。３つのサービスタイプの中からサービスタイプを要求する周囲のユーザ機器が第１のユーザ機器を発見することを可能にするために、第１のユーザ機器は、参照信号を周期的に送信し、参照信号は、３つのサービスタイプのサービスタイプ識別子を連続して搬送する。周囲のユーザ機器は、参照信号をブラインド検出方式で復調してもよい。
【０１３３】
上述したことは、図１を参照して、本発明の実施形態に従った第１のユーザ機器（参照信号の送信端）の観点から参照信号送信方法を詳細に説明している。以下では、図２を参照して、本発明の実施形態に従った第２のユーザ機器（参照信号の受信端）の観点から参照信号送信方法を詳細に説明する。
【０１３４】
第２のユーザ機器側から説明される第１のユーザ機器及び第２のユーザ機器の相互作用、関連する特徴、及び機能などは、第１のユーザ機器側からの説明に対応することが理解されるべきである。簡潔のために、関連する説明が適切に省略される。
【０１３５】
図２は、本発明の別の実施形態に従った参照信号送信方法の概略的なフローチャートである。図２における方法は、以下のステップを含む。
【０１３６】
２１０．第２のユーザ機器は、第１のユーザ機器に関連する第１の識別子を判定する。
【０１３７】
２２０．第２のユーザ機器は、第１の識別子に従って、選択されることになる循環シフトインジケーションから第１の循環シフトインジケーションを判定する。
【０１３８】
２３０．第２のユーザ機器は、第１の循環シフトインジケーション及び事前設定された基本シーケンスに従って、第２の参照信号を判定する。
【０１３９】
２４０．第２のユーザ機器は、第２の参照信号、及びチャネルを通じて送信された、受信された第１の参照信号に従って、チャネル上でチャネルサウンディングを実行し、第１の参照信号は、第１のユーザ機器によって送信される。
【０１４０】
第１の参照信号は、第１の識別子に基づいて、第１のユーザ機器によって生成され、したがって第１の参照信号は第２の参照信号と同一であることが理解されるべきである。
【０１４１】
本発明のこの実施形態では、第２のユーザ機器は、第１のユーザ機器に関連する第１の識別子に従って、第１の循環シフトインジケーションを選択し、第１の循環シフトインジケーション及び事前設定された基本シーケンスに基づいて、第２の参照信号を判定し、次いで、第２の参照信号及び、チャネルを通じて送信された、受信された第１の参照信号に従って、チャネル上でチャネルサウンディングを実行し、それによって、Ｄ２Ｄ通信において参照信号送信を実行する。技術的解決策が使用され、それによって、第２のユーザ機器はブラインド検出方式を使用する必要がなく、チャネルサウンディングの複雑度が低減し、第２のユーザ機器のエネルギー消費が低減する。
【０１４２】
任意選択で、実施形態では、ステップ２１０は、第２のユーザ機器によって、第１のユーザ機器に送信され、及び第１の識別子を搬送する要求に従って、第１の識別子を判定するステップを含む。
【０１４３】
第２のユーザ機器が要求を送信するとき、第２のユーザ機器は、第１の識別子を要求に追加する。要求を受信する第１のユーザ機器は、第１の識別子を使用することによって、循環シフトインジケーションを選択し、及び第１の参照信号を生成し、第２のユーザ機器も、第１の識別子を使用することによって、循環シフトインジケーションを選択し、及びどの循環シフトインジケーションが、第１のユーザ機器によって送信された参照信号を生成するのに使用されるかを、第２のユーザ機器が事前に学習するものと同等の、第２の参照信号を生成するが、ブラインド検出方式で判定する必要はなく、それによって、第２のユーザ機器によって実行されるチャネルサウンディングの複雑度が著しく低減する。
【０１４４】
任意選択で、別の実施形態では、ステップ２３０は、第２のユーザ機器によって、第１の循環シフトインジケーションに従って事前設定された基本シーケンスで循環シフトを実行した後、第２の参照信号を取得するステップを含む。
【０１４５】
任意選択で、別の実施形態では、ステップ２２０は、第２のユーザ機器によって、ｎ個の選択されることになる循環シフトインジケーションの中でｋ番目の循環シフトインジケーションを第１の循環シフトインジケーションとして判定し、ｎは、選択されることになる循環シフトインジケーションの数であり、ｍ１は、第１の識別子に基づいて判定された値であり、ｋ＝ｍｏｄ（ｍ１，ｎ）である。
【０１４６】
任意選択で、別の実施形態では、第１の識別子は、第１のユーザ機器の１つの識別子を含み、ｍ１は、第１の識別子の値に等しい。
【０１４７】
任意選択で、別の実施形態では、第１の識別子は、第１のユーザ機器の少なくとも２つの識別子を含み、ｍ１は、事前設定された動作ルールに従って、少なくとも２つの識別子の値に基づいて判定された値である。
【０１４８】
任意選択で、別の実施形態では、ステップ２２０は、第２のユーザ機器によって、第１の識別子の値及び第１の参照信号を送信するのに使用されるリソースの第１のパラメータに従って、第１の循環シフトインジケーションを判定するステップを含む。
【０１４９】
任意選択で、別の実施形態では、ステップ２２０は、第２のユーザ機器によって、ｎ個の選択されることになる循環シフトインジケーションの中でｋ番目の循環シフトインジケーションを第１の循環シフトインジケーションとして判定するステップを含み、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【０１５０】
任意選択で、別の実施形態では、第１のパラメータは、リソースに対応する以下のパラメータ、フレーム番号、サブフレーム番号、物理リソースブロック番号、又は帯域幅のうちの１つ又は複数を含む。
【０１５１】
任意選択で、別の実施形態では、ステップ２２０は、第２のユーザ機器によって、第１の識別子の値、第１のパラメータの値、及び第１のオフセット値に従って、第１の循環シフトインジケーションを判定するステップを含み、第１のオフセット値は、第１のユーザ機器が位置するセルのセル識別子、第１のユーザ機器が属するＤ２Ｄクラスタの識別子値、又は第１の通信デバイスによって構成されたオフセット値である。
【０１５２】
任意選択で、別の実施形態では、ステップ２２０は、第２のユーザ機器によって、第１の識別子の値及び第１のオフセット値に従って、第１の循環シフトインジケーションを判定するステップを含み、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０１５３】
任意選択で、別の実施形態では、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子のうちの１つ又は複数を含み、Ｄ２Ｄユーザグループ識別子は、第１のユーザ機器が属するＤ２Ｄユーザグループを示すために使用され、サービスタイプ識別子は、第１のユーザ機器によって提供されるサービスタイプを示すために使用される。
【０１５４】
上述したことは、図１乃至図２を参照して、本発明の実施形態に従った参照信号送信方法を詳細に説明している。以下では、図３乃至図４を参照して、本発明の実施形態に従ったユーザ機器を詳細に説明する。
【０１５５】
図３は、本発明の実施形態に従ったユーザ機器の概略的なブロック図である。図３におけるユーザ機器３００は、図１及び図２における第１のユーザ機器に対応する。ユーザ機器３００は、第１の判定ユニット３１０、第２の判定ユニット３２０、第３の判定ユニット３３０、及び送信ユニット３４０を含む。
【０１５６】
第１の判定ユニット３１０は、ユーザ機器３００に関連する第１の識別子を判定するように構成される。
【０１５７】
第２の判定ユニット３２０は、第１の判定ユニット３１０によって判定された第１の識別子に従って、選択されることになる循環シフトインジケーションから第１の循環シフトインジケーションを判定するように構成される。
【０１５８】
第３の判定ユニット３３０は、第２の判定ユニット３２０によって判定された第１の循環シフトインジケーション及び事前設定された基本シーケンスに従って、第１の参照信号を判定するように構成される。
【０１５９】
送信ユニット３４０は、第３の判定ユニット３３０によって判定された第１の参照信号を第２のユーザ機器に送信するように構成される。
【０１６０】
本発明のこの実施形態では、ユーザ機器３００は、ユーザ機器３００に関連する第１の識別子に従って、第１の循環シフトインジケーションを選択し、第１の循環シフトインジケーション及び事前設定された基本シーケンスに基づいて、第１の参照信号を生成し、次いで、第１の参照信号を第２のユーザ機器送信し、それによって、Ｄ２Ｄ通信において参照信号送信を実行する。
【０１６１】
さらに、ユーザ機器３００は、ユーザ機器３００の第１の識別子に従って、循環シフトインジケーションを選択する。第１の識別子は、ユーザ機器３００に関連し、異なるユーザ機器の第１の識別子は概して、相互に異なる。したがって、異なるユーザ機器が異なるユーザ機器の第１の識別子に基づいて同一の循環シフトインジケーションを選択する確率は低い。したがって、生成された参照信号の間で衝突が発生する確率は低く、Ｄ２Ｄ通信におけるユーザ機器の間で送信された参照信号の間の干渉が低減する。
【０１６２】
任意選択で、実施形態では、ユーザ機器３００はさらに受信ユニットを含み、受信ユニットは、第２のユーザ機器によって送信され、及び第１の識別子を搬送する要求を受信するように構成され、第１の判定ユニット３１０は特に、受信ユニットによって受信された要求において搬送された第１の識別子に従って、第１の識別子を判定するように構成される。
【０１６３】
任意選択で、別の実施形態では、第１の判定ユニット３１０は特に、ユーザ機器３００に関連する識別子から事前設定されたルールに従って、識別子を第１の識別子として選択するように構成される。
【０１６４】
任意選択で、別の実施形態では、第３の判定ユニット３３０は特に、第１の循環シフトインジケーションに従って、事前設定された基本シーケンスで循環シフトを実行した後、第１の参照信号を取得するように構成される。
【０１６５】
任意選択で、別の実施形態では、第２の判定ユニット３２０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【０１６６】
任意選択で、別の実施形態では、第１の識別子は、ユーザ機器３００の１つの識別子を含み、ｍ１は、第１の識別子の値に等しい。
【０１６７】
任意選択で、別の実施形態では、第１の識別子は、ユーザ機器３００の少なくとも２つの識別子を含み、ｍ１は、事前設定された動作ルールに従って、少なくとも２つの識別子の値に基づいて判定された値である。
【０１６８】
任意選択で、別の実施形態では、第２の判定ユニット３２０は特に、第１の識別子の値、及び第１の参照信号を送信するのに使用されるリソースの第１のパラメータに従って、第１の循環シフトインジケーションを判定するように構成される。
【０１６９】
任意選択で、別の実施形態では、第２の判定ユニット３２０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【０１７０】
任意選択で、別の実施形態では、第１のパラメータは、リソースに対応する以下のパラメータ、フレーム番号、サブフレーム番号、物理リソースブロック番号、又は帯域幅、のうちの１つ又は複数を含む。
【０１７１】
任意選択で、別の実施形態では、第２の判定ユニット３２０は特に、第１の識別子の値、第１のパラメータの値、及び第１のオフセット値に従って、第１の循環シフトインジケーションを判定するようにさらに構成され、第１のオフセット値は、ユーザ機器３００が位置するセルのセル識別子値、ユーザ機器３００が属するＤ２Ｄクラスタの識別子値、又は第１の通信デバイスによって構成されたオフセット値である。
【０１７２】
任意選択で、別の実施形態では、第２の判定ユニット３２０は特に、第１の識別子の値及び第１のオフセット値に従って、第１の循環シフトインジケーションを判定するようにさらに構成され、第１のオフセット値は、ユーザ機器３００が位置するセルのセル識別子値、ユーザ機器３００が属するＤ２Ｄクラスタの識別子値、又は第１の通信デバイスによって構成されたオフセット値である。
【０１７３】
任意選択で、別の実施形態では、第１の識別子は、ユーザ機器３００の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子を含み、Ｄ２Ｄユーザグループ識別子は、ユーザ機器３００が属するＤ２Ｄユーザグループを示すために使用され、サービスタイプ識別子は、ユーザ機器３００によって提供されるサービスタイプを示すために使用される。
【０１７４】
図４は、本発明の実施形態に従ったユーザ機器の概略的なブロック図である。図４におけるユーザ機器４００は、図１及び図２における第２のユーザ機器に対応する。ユーザ機器４００は、第１の判定ユニット４１０、第２の判定ユニット４２０、第３の判定ユニット４３０、チャネルサウンディングユニット４４０、及び受信ユニット４５０を含む。
【０１７５】
第１の判定ユニット４１０は、第１のユーザ機器に関連する第１の識別子を判定するように構成される。
【０１７６】
第２の判定ユニット４２０は、第１の判定ユニット４１０によって判定された第１の識別子に従って、選択されることになる循環シフトインジケーションから第１の循環シフトインジケーションを判定するように構成される。
【０１７７】
第３の判定ユニット４３０は、第２の判定ユニット４２０によって判定された第１の循環シフトインジケーション及び事前設定された基本シーケンスに従って、第２の参照信号を判定するように構成される。
【０１７８】
受信ユニット４５０は、チャネルを通じて送信された第１の参照信号を受信するように構成され、第１の参照信号は、第１のユーザ機器によって送信される。
【０１７９】
チャネルサウンディングユニット４４０は、第３の判定ユニット４３０によって判定された第２の参照信号及び受信ユニット４５０によって受信された第１の参照信号に従って、チャネル上でチャネルサウンディングを実行するように構成される。
【０１８０】
本発明のこの実施形態では、ユーザ機器４００は、第１のユーザ機器に関連する第１の識別子に従って、第１の循環シフトインジケーションを選択し、第１の循環シフトインジケーション及び事前設定された基本シーケンスに基づいて、第２の参照信号を判定し、次いで、第２の参照信号及びチャネルを通じて送信された、受信された第１の参照信号に従って、チャネル上でチャネルサウンディングを実行し、それによって、Ｄ２Ｄ通信において参照信号送信を実行する。技術的解決策が使用され、それによって、ユーザ機器４００が、ブラインド検出方式を使用する必要がなく、チャネルサウンディングの複雑度が低減し、ユーザ機器４００のエネルギー消費が低減する。
【０１８１】
任意選択で、実施形態では、ユーザ機器４００は、送信ユニットをさらに含み、送信ユニットは、第１のユーザ機器に、第１の識別子を搬送する要求を送信するように構成され、第１の判定ユニット４１０は特に、送信ユニットによって送信され、及び第１の識別子を搬送する要求に従って、第１の識別子を判定するように構成される。
【０１８２】
任意選択で、別の実施形態では、第３の判定ユニット４３０は特に、第１の循環シフトインジケーションに従って、事前設定された基本シーケンスで循環シフトを実行した後、第２の参照信号を取得するように構成される。
【０１８３】
任意選択で、別の実施形態では、第２の判定ユニット４２０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【０１８４】
任意選択で、別の実施形態では、第１の識別子は、第１のユーザ機器の１つの識別子を含み、ｍ１は、第１の識別子の値に等しい。
【０１８５】
任意選択で、別の実施形態では、第１の識別子は、第１のユーザ機器の少なくとも２つの識別子を含み、ｍ１は、事前設定された動作ルールに従って、少なくとも２つの識別子の値に基づいて判定された値である。
【０１８６】
任意選択で、別の実施形態では、第２の判定ユニット４２０は特に、第１の識別子の値、及び第１の参照信号を送信するのに使用されるリソースの第１のパラメータ値に従って、第１の循環シフトインジケーションを判定するように構成される。
【０１８７】
任意選択で、別の実施形態では、第２の判定ユニット４２０は特に、ｎ個の選択されることになる循環シフトインジケーションの中でｋ番目の循環シフトインジケーションを第１の循環シフトインジケーションとして判定するようにさらに構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【０１８８】
任意選択で、別の実施形態では、第１のパラメータは、リソースに対応する以下のパラメータ、フレーム番号、サブフレーム番号、物理リソースブロック番号、又は帯域幅、のうちの１つ又は複数を含む。
【０１８９】
任意選択で、別の実施形態では、第２の判定ユニット４２０は特に、第１の識別子の値、第１のパラメータ、及び第１のオフセット値に従って、第１の循環シフトインジケーションを判定するようにさらに構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０１９０】
任意選択で、別の実施形態では、第２の判定ユニット４２０は特に、第１の識別子の値及び第１のオフセット値に従って、第１の循環シフトインジケーションを判定するように構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０１９１】
任意選択で、別の実施形態では、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、第１のユーザ機器が属するＤ２Ｄユーザグループを示すために使用され、サービスタイプ識別子は、第１のユーザ機器によって提供されるサービスタイプを示すために使用される。
【０１９２】
図５は、本発明の実施形態に従ったユーザ機器の概略的なブロック図である。図５におけるユーザ機器５００は、図１及び図２における第１のユーザ機器に対応する。ユーザ機器５００は、プロセッサ５１０及び送信機５２０を含む。
【０１９３】
プロセッサ５１０は、ユーザ機器５００に関連する第１の識別子を判定し、第１の識別子に従って、選択されることになる循環シフトインジケーションから第１の循環シフトインジケーションを判定し、並びに第１の循環シフトインジケーション及び事前設定された基本シーケンスに従って、第１の参照信号を判定するように構成される。
【０１９４】
送信機５２０は、第１の参照信号を第２のユーザ機器に送信するように構成される。
【０１９５】
本発明のこの実施形態では、選択されることになる循環シフトインジケーションは、事前設定され、ユーザ機器５００は、ユーザ機器５００に関連する第１の識別子に従って、第１の循環シフトインジケーションを選択し、第１の循環シフトインジケーション及び事前設定された基本シーケンスに基づいて、第１の参照信号を生成し、次いで、第１の参照信号を第２のユーザ機器に送信し、それによって、Ｄ２Ｄ通信において参照信号送信を実行する。
【０１９６】
さらに、ユーザ機器５００は、ユーザ機器５００の第１の識別子に従って、循環シフトインジケーションを選択する。第１の識別子は、ユーザ機器５００に関連し、異なるユーザ機器の第１の識別子は概して、相互に異なる。したがって、異なるユーザ機器が異なるユーザ機器の第１の識別子に基づいて同一の循環シフトインジケーションを選択する確率は低い。したがって、生成された参照信号の間で衝突が発生する確率は低く、Ｄ２Ｄ通信におけるユーザ機器の間で送信された参照信号の間の干渉が低減する。
【０１９７】
任意選択で、実施形態では、ユーザ機器５００は、第２のユーザ機器によって送信され、及び第１の識別子を搬送する要求を受信するように構成された受信機をさらに含み、プロセッサ５１０は特に、受信機によって受信された要求において搬送された第１の識別子に従って、第１の識別子を判定するように構成される。
【０１９８】
任意選択で、別の実施形態では、プロセッサ５１０は特に、ユーザ機器５００に関連する識別子から、事前設定されたルールに従って、識別子を第１の識別子として選択するように構成される。
【０１９９】
任意選択で、別の実施形態では、プロセッサ５１０は特に、第１の循環シフトインジケーションに従って、事前設定された基本シーケンスで循環シフトを実行した後、第１の参照信号を取得するように構成される。
【０２００】
任意選択で、別の実施形態では、プロセッサ５１０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【０２０１】
任意選択で、別の実施形態では、第１の識別子は、ユーザ機器５００の１つの識別子を含み、ｍ１は、第１の識別子の値に等しい。
【０２０２】
任意選択で、別の実施形態では、第１の識別子は、ユーザ機器５００の少なくとも２つの識別子を含み、ｍ１は、事前設定された動作ルールに従って、少なくとも２つの識別子の値に基づいて判定された値である。
【０２０３】
任意選択で、別の実施形態では、プロセッサ５１０は特に、第１の識別子の値、及び第１の参照信号を送信するのに使用されるリソースの第１のパラメータに従って、第１の循環シフトインジケーションを判定するように構成される。
【０２０４】
任意選択で、別の実施形態では、プロセッサ５１０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【０２０５】
任意選択で、別の実施形態では、第１のパラメータは、リソースに対応する以下のパラメータ、フレーム番号、サブフレーム番号、物理リソースブロック番号、又は帯域幅、のうちの１つ又は複数を含む。
【０２０６】
任意選択で、別の実施形態では、プロセッサ５１０は特に、第１の識別子の値、第１のパラメータの値、及び第１のオフセット値に従って、第１の循環シフトインジケーションを判定するようにさらに構成され、第１のオフセット値は、ユーザ機器５００が位置するセルのセル識別子値、ユーザ機器５００が属するＤ２Ｄクラスタの識別子値、又は第１の通信デバイスによって構成されたオフセット値である。
【０２０７】
任意選択で、別の実施形態では、プロセッサ５１０は特に、第１の識別子の値及び第１のオフセット値に従って、第１の循環シフトインジケーションを判定するようにさらに構成され、第１のオフセット値が、ユーザ機器５００が位置するセルのセル識別子値、ユーザ機器５００が属するＤ２Ｄクラスタの識別子値、又は第１の通信デバイスによって構成されたオフセット値である。
【０２０８】
任意選択で、別の実施形態では、第１の識別子は、ユーザ機器５００の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、ユーザ機器５００が属するＤ２Ｄユーザグループを示すために使用され、サービスタイプ識別子は、ユーザ機器５００によって提供されるサービスタイプを示すために使用される。
【０２０９】
図６は、本発明の実施形態に従ったユーザ機器の概略的なブロック図である。図６におけるユーザ機器６００は、図１及び図２における第２のユーザ機器に対応する。ユーザ機器６００は、プロセッサ６１０及び受信機６２０を含む。
【０２１０】
プロセッサ６１０は、第１のユーザ機器に関連する第１の識別子を判定し、第１の識別子に従って、選択されることになる循環シフトインジケーションから第１の循環シフトインジケーションを判定し、並びに第１の循環シフトインジケーション及び事前設定された基本シーケンスに従って、第２の参照信号を判定するように構成される。
【０２１１】
受信機６２０は、チャネルを通じて送信された第１の参照信号を受信するように構成され、第１の参照信号は、第１のユーザ機器によって送信される。
【０２１２】
プロセッサ６１０は、判定された第２の参照信号及び受信機６２０によって受信された第１の参照信号に従って、チャネル上でチャネルサウンディングを実行するようにさらに構成される。
【０２１３】
本発明のこの実施形態では、ユーザ機器６００は、第１のユーザ機器に関連する第１の識別子に従って、第１の循環シフトインジケーションを選択し、第１の循環シフトインジケーション及び事前設定された基本シーケンスに基づいて、第２の参照信号を生成し、次いで、第２の参照信号、及びチャネルを通じて送信された、受信された第１の参照信号に従って、チャネル上でチャネルサウンディングを実行し、それによって、Ｄ２Ｄ通信において参照信号送信を実行する。技術的解決策が使用され、それによって、ユーザ機器６００はブラインド検出方式を使用する必要がなく、チャネルサウンディングの複雑度が低減し、ユーザ機器６００のエネルギー消費が低減する。
【０２１４】
任意選択で、実施形態では、ユーザ機器６００は、第１のユーザ機器に、第１の識別子を搬送する要求を送信するように構成された送信機をさらに含み、プロセッサ６１０は特に、送信機によって送信され、及び第１の識別子を搬送する要求に従って、第１の識別子を判定するように構成される。
【０２１５】
任意選択で、別の実施形態では、プロセッサ６１０は特に、第１の循環シフトインジケーションに従って、事前設定された基本シーケンスで循環シフトを実行した後、第２の参照信号を取得するように構成される。
【０２１６】
任意選択で、別の実施形態では、プロセッサ６１０は特に、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ１は、第１の識別子に基づいて判定された値であり、ｋ＝ｍｏｄ（ｍ１，ｎ）である。
【０２１７】
任意選択で、別の実施形態では、第１の識別子は、第１のユーザ機器の１つの識別子を含み、ｍ１は、第１の識別子の値に等しい。
【０２１８】
任意選択で、別の実施形態では、第１の識別子は、第１のユーザ機器の少なくとも２つの識別子を含み、ｍ１は、事前設定された動作ルールに従って、少なくとも２つの識別子の値に基づいて判定された値である。
【０２１９】
任意選択で、別の実施形態では、プロセッサ６１０は特に、第１の識別子の値、及び第１の参照信号を送信するのに使用されるリソースの第１のパラメータの値に従って、第１の循環シフトインジケーションを判定するように構成される。
【０２２０】
任意選択で、別の実施形態では、プロセッサ６１０は、ｎ個の選択されることになる循環シフトインジケーションの中でｋ番目の循環シフトインジケーションを第１の循環シフトインジケーションとして判定するように構成され、ｎは、選択されることになる循環シフトインジケーションの数であり、ｍ２は、事前設定された動作ルールに従って、第１の識別子の値及び第１のパラメータの値に基づいて判定された値であり、ｋ＝ｍｏｄ（ｍ２，ｎ）である。
【０２２１】
任意選択で、別の実施形態では、第１のパラメータは、リソースに対応する以下のパラメータ、フレーム番号、サブフレーム番号、物理リソースブロック番号、又は帯域幅、のうちの１つ又は複数を含む。
【０２２２】
任意選択で、別の実施形態では、プロセッサ６１０は特に、第１の識別子の値、第１のパラメータの値、及び第１のオフセット値に従って、第１の循環シフトインジケーションを判定するようさらに構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０２２３】
任意選択で、別の実施形態では、プロセッサ６１０は特に、第１の識別子の値及び第１のオフセット値に従って、第１の循環シフトインジケーションを判定するように構成され、第１のオフセット値は、第１のユーザ機器が位置するセルのセル識別子値、第１のユーザ機器が属するＤ２Ｄクラスタの識別子値、又は第１の通信デバイスによって構成されたオフセット値である。
【０２２４】
任意選択で、別の実施形態では、第１の識別子は、第１のユーザ機器の以下の識別子、Ｄ２Ｄ識別子、ＩＭＳＩ、ＴＭＳＩ、Ｄ２Ｄユーザグループ識別子、サービスタイプ識別子、又はＤ２Ｄクラスタ識別子、のうちの１つ又は複数を含み、Ｄ２Ｄユーザグループ識別子は、第１のユーザ機器が属するＤ２Ｄユーザグループを示すために使用され、サービスタイプ識別子は、第１のユーザ機器によって提供されるサービスタイプを示すために使用される。
【０２２５】
この明細書で開示された実施形態で説明された例と組み合わせて、ユニット及びアルゴリズムステップが電子的ハードウェア、又はコンピュータソフトウェア及び電子的ハードウェアの組み合わせによって実装されてもよいことを当業者は認識することができる。機能がハードウェア又はソフトウェアによって実行されるかは、技術的解決策の特定の適用及び設計制約条件に依存する。当業者は、各々の特定の適用のために説明された機能を実装するために異なる方法を使用してもよいが、実装は、本発明の範囲を超えると考えられるべきではない。
【０２２６】
利便且つ簡潔な説明を目的に、上述したシステム、装置、及びユニットの詳細な動作の処理について、上述した方法の実施形態における対応する処理に対して参照がなされてもよいことが当業者によって明確に理解され得るが、詳細は、本明細書では説明されない。
【０２２７】
本出願で提供される幾つかの実施形態では、開示されるシステム、装置、及び方法が他の方式で実装されてもよいことが理解されるべきである。例えば、説明された装置の実施形態は例にすぎない。例えば、ユニット分割は、論理機能分割にすぎず、且つ実際の実装においては他の分割であってもよい。例えば、複数のユニット又は構成要素が別のシステムと組み合わされ、若しくは別のシステムに統合されてもよく、又は一部の機能が無視され、若しくは実行されなくてもよい。加えて、表示され又は論じられる相互結合若しくは直接結合、又は通信接続は、一部のインタフェースを使用することによって実装されてもよい。装置又はユニットの間の間接結合又は通信接続は、電子的、機械的又は他の方式で実装されてもよい。
【０２２８】
別個の部分として説明されるユニットは、物理的に別個であってもよく、又は別個でなくてもよく、ユニットとして表示された部分は、物理的ユニットであってもよく、又は物理的ユニットでなくてもよく、１つの場所に位置してもよく、又は複数のネットワークユニット上で分散されてもよい。ユニットの一部又は全ては、実施形態の解決策の目的を達成するための実際の必要性に従って選択されてもよい。
【０２２９】
加えて、本発明の実施形態における機能ユニットは、１つのプロセッシングユニットに統合されてもよく、ユニットの各々は、物理的に単独で存在してもよく、又は２つ以上のユニットが１つのユニットに統合されてもよい。
【０２３０】
機能がソフトウェア機能ユニットの形式で実装され、及び独立製品として販売又は使用されるとき、機能は、コンピュータ可読記憶媒体に記憶されてもよい。そのような理解に基づいて、必須の本発明の技術的解決策、又は従来技術に貢献する部分、若しくは技術的解決策の一部は、ソフトウェア製品の形式で実装されてもよい。コンピュータソフトウェア製品は、記憶媒体に記憶され、及び本発明の実施形態で説明された方法のステップの全て又は一部を実行するようにコンピュータデバイス（パーソナルコンピュータ、サーバ、又はネットワークデバイスなどであってもよい）に命令するための幾つかの命令を含む。上述した記憶媒体は、ＵＳＢフラッシュドライブ、着脱可能ハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなど、プログラムコードを記憶することができるいずれかの媒体を含む。
【０２３１】
上述した説明は、本発明の特定の実装方式にすぎないが、本発明の保護範囲を限定することを意図していない。本発明で開示された技術範囲内で当業者によって容易に理解されるいずれかの変形又は置換は、本発明の保護範囲内に入ることになる。したがって、本発明の保護範囲は、特許請求の範囲の保護範囲に依存する。
【図１】
2018067933.tif 000003
【図２】
2018067933.tif 000004
【図３】
2018067933.tif 000005
【図４】
2018067933.tif 000006
【図５】
2018067933.tif 000007
【図６】
2018067933.tif 000008
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
参照信号送信方法であって、
第１のユーザ機器によって、前記第１のユーザ機器に関連する第１の識別子を判定するステップと、
前記第１のユーザ機器によって、ｎ個の選択されることになる循環シフトインジケーションの中でｋ番目の循環シフトインジケーションを第１の循環シフトインジケーションとして判定するステップであって、ｎは、選択されることになる循環シフトインジケーションの数であり、ｍ２は、事前設定された動作ルールに従って、前記第１の識別子の値及び第１のパラメータの値に基づいて判定された値であり、ｋ＝ｍｏｄ（ｍ２，ｎ）である、ステップと、
前記第１のユーザ機器によって、前記第１の循環シフトインジケーション及び事前設定された基本シーケンスに従って、第１の参照信号を判定するステップと、
前記第１のユーザ機器によって、前記第１の参照信号を第２のユーザ機器に送信するステップと
を備える、方法。
【請求項２】
前記第１のパラメータは、リソースに対応する以下のパラメータ、フレーム番号、サブフレーム番号、物理リソースブロック番号、又は帯域幅、のうちの１つ又は複数を含む、請求項１に記載の方法。
【請求項３】
参照信号送信方法であって、
第１のユーザ機器によって、前記第１のユーザ機器に関連する第１の識別子を判定するステップと、
前記第１のユーザ機器によって、前記第１の識別子の値、第１のパラメータの値、及び第１のオフセット値に従って、第１の循環シフトインジケーションを判定するステップであって、前記第１のオフセット値は、前記第１のユーザ機器が位置するセルのセル識別子値、前記第１のユーザ機器が属するエンドツーエンドＤ２Ｄクラスタの識別子値、又は第１の通信デバイスによって構成されたオフセット値である、ステップと、
前記第１のユーザ機器によって、前記第１の循環シフトインジケーション及び事前設定された基本シーケンスに従って、第１の参照信号を判定するステップと、
前記第１のユーザ機器によって、前記第１の参照信号を第２のユーザ機器に送信するステップと
を備える、方法。
【請求項４】
前記第１のパラメータは、リソースに対応する以下のパラメータ、フレーム番号、サブフレーム番号、物理リソースブロック番号、又は帯域幅、のうちの１つ又は複数を含む、請求項３に記載の方法。
【請求項５】
参照信号送信方法であって、
第２のユーザ機器によって、第１のユーザ機器に関連する第１の識別子を判定するステップと、
前記第２のユーザ機器によって、ｎ個の選択されることになる循環シフトインジケーションの中でｋ番目の循環シフトインジケーションを第１の循環シフトインジケーションとして判定するステップであって、ｎは、選択されることになる循環シフトインジケーションの数であり、ｍ２は、事前設定された動作ルールに従って、前記第１の識別子の値及び第１のパラメータの値に基づいて判定された値であり、ｋ＝ｍｏｄ（ｍ２，ｎ）である、ステップと、
前記第２のユーザ機器によって、前記第１の循環シフトインジケーション及び事前設定された基本シーケンスに従って、第２の参照信号を判定するステップと、
前記第２のユーザ機器によって、前記第２の参照信号及びチャネルを通じて送信された、受信された第１の参照信号に従って、前記チャネル上でチャネルサウンディングを実行するステップと
を備える、方法。
【請求項６】
前記第１のパラメータは、リソースに対応する以下のパラメータ、フレーム番号、サブフレーム番号、物理リソースブロック番号、又は帯域幅、のうちの１つ又は複数を含む、請求項５に記載の方法。
【請求項７】
参照信号送信方法であって、
第２のユーザ機器によって、第１のユーザ機器に関連する第１の識別子を判定するステップと、
前記第２のユーザ機器によって、前記第１の識別子の値、第１のパラメータの値、及び第１のオフセット値に従って、第１の循環シフトインジケーションを判定するステップであって、前記第１のオフセット値は、前記第１のユーザ機器が位置するセルのセル識別子値、前記第１のユーザ機器が属するエンドツーエンドＤ２Ｄクラスタの識別子値、又は第１の通信デバイスによって構成されたオフセット値である、ステップと、
前記第２のユーザ機器によって、前記第１の循環シフトインジケーション及び事前設定された基本シーケンスに従って、第２の参照信号を判定するステップと、
前記第２のユーザ機器によって、前記第２の参照信号及びチャネルを通じて送信された、受信された第１の参照信号に従って、前記チャネル上でチャネルサウンディングを実行するステップと
を備える、方法。
【請求項８】
前記第１のパラメータは、リソースに対応する以下のパラメータ、フレーム番号、サブフレーム番号、物理リソースブロック番号、又は帯域幅、のうちの１つ又は複数を含む、請求項７に記載の方法。
【請求項９】
ユーザ機器であって、
前記ユーザ機器に関連する第１の識別子を判定するように構成された第１の判定ユニットと、
ｎ個の選択されることになる循環シフトインジケーションの中でｋ番目の循環シフトインジケーションを第１の循環シフトインジケーションとして判定するように構成され第２の判定ユニットであって、ｎは、選択されることになる循環シフトインジケーションの数であり、ｍ２は、事前設定された動作ルールに従って、前記第１の識別子の値及び第１のパラメータの値に基づいて判定された値であり、ｋ＝ｍｏｄ（ｍ２，ｎ）である、第２の判定ユニットと、
前記第２の判定ユニットによって判定された前記第１の循環シフトインジケーション及び事前設定された基本シーケンスに従って、第１の参照信号を判定するように構成された第３の判定ユニットと、
前記第３の判定ユニットによって判定された前記第１の参照信号を第２のユーザ機器に送信するように構成された送信ユニットと
を備える、ユーザ機器。
【請求項１０】
前記第１のパラメータは、リソースに対応する以下のパラメータ、フレーム番号、サブフレーム番号、物理リソースブロック番号、又は帯域幅、のうちの１つ又は複数を含む、請求項９に記載のユーザ機器。
【請求項１１】
ユーザ機器であって、
前記ユーザ機器に関連する第１の識別子を判定するように構成された第１の判定ユニットと、
前記第１の識別子の値、第１のパラメータの値、及び第１のオフセット値に従って、第１の循環シフトインジケーションを判定するように構成された第２の判定ユニットであって、前記第１のオフセット値は、前記ユーザ機器が位置するセルのセル識別子値、前記ユーザ機器が属するエンドツーエンドＤ２Ｄクラスタの識別子値、又は第１の通信デバイスによって構成されたオフセット値である、第２の判定ユニットと、
前記第２の判定ユニットによって判定された前記第１の循環シフトインジケーション及び事前設定された基本シーケンスに従って、第１の参照信号を判定するように構成された第３の判定ユニットと、
前記第３の判定ユニットによって判定された前記第１の参照信号を第２のユーザ機器に送信するように構成された送信ユニットと
を備える、ユーザ機器。
【請求項１２】
前記第１のパラメータは、リソースに対応する以下のパラメータ、フレーム番号、サブフレーム番号、物理リソースブロック番号、又は帯域幅、のうちの１つ又は複数を含む、請求項１１に記載のユーザ機器。
【請求項１３】
ユーザ機器であって、
第１のユーザ機器に関連する第１の識別子を判定するように構成された第１の判定ユニットと、
ｎ個の選択されることになる循環シフトインジケーションの中でｋ番目の循環シフトインジケーションを第１の循環シフトインジケーションとして判定するように構成された第２の判定ユニットであって、ｎは、選択されることになる循環シフトインジケーションの数であり、ｍ２は、事前設定された動作ルールに従って、前記第１の識別子の値及び第１のパラメータの値に基づいて判定された値であり、ｋ＝ｍｏｄ（ｍ２，ｎ）である、第２の判定ユニットと、
前記第２の判定ユニットによって判定された前記第１の循環シフトインジケーション及び事前設定された基本シーケンスに従って、第２の参照信号を判定するように構成された第３の判定ユニットと、
チャネルを通じて送信された、第１の参照信号を受信するように構成された受信ユニットであって、前記第１の参照信号は、前記第１のユーザ機器によって送信される、受信ユニットと、
前記第３の判定ユニットによって判定された前記第２の参照信号、及び前記受信ユニットによって受信された前記第１の参照信号に従って、チャネル上でチャネルサウンディングを実行するように構成されたチャネルサウンディングユニットと
を備える、ユーザ機器。
【請求項１４】
前記第１のパラメータは、リソースに対応する以下のパラメータ、フレーム番号、サブフレーム番号、物理リソースブロック番号、又は帯域幅、のうちの１つ又は複数を含む、請求項１３に記載のユーザ機器。
【請求項１５】
ユーザ機器であって、
第１のユーザ機器に関連する第１の識別子を判定するように構成された第１の判定ユニットと、
前記第１の識別子の値、第１のパラメータの値、及び第１のオフセット値に従って、第１の循環シフトインジケーションを判定するようにさらに構成された第２の判定ユニットであって、前記第１のオフセット値は、前記第１のユーザ機器が位置するセルのセル識別子値、前記第１のユーザ機器が属するＤ２Ｄクラスタの識別子値、又は第１の通信デバイスによって構成されたオフセット値である、第２の判定ユニットと、
前記第２の判定ユニットによって判定された前記第１の循環シフトインジケーション及び事前設定された基本シーケンスに従って、第２の参照信号を判定するように構成された第３の判定ユニットと、
チャネルを通じて送信された、第１の参照信号を受信するように構成された受信ユニットであって、前記第１の参照信号は、前記第１のユーザ機器によって送信される、受信ユニットと、
前記第３の判定ユニットによって判定された前記第２の参照信号、及び前記受信ユニットによって受信された前記第１の参照信号に従って、チャネル上でチャネルサウンディングを実行するように構成されたチャネルサウンディングユニットと
を備える、ユーザ機器。
【請求項１６】
前記第１のパラメータは、リソースに対応する以下のパラメータ、フレーム番号、サブフレーム番号、物理リソースブロック番号、又は帯域幅、のうちの１つ又は複数を含む、請求項１５に記載のユーザ機器。
【手続補正２】
【補正対象書類名】明細書
【補正対象項目名】０００９
【補正方法】変更
【補正の内容】
【０００９】
第１の態様、又は第１の態様の上述した実行方式を参照して、第１の態様の別の実行方式で、第１のユーザ機器によって、第１のユーザ機器に関連する第１の識別子を判定するステップの前に、方法は、第１のユーザ機器によって、第２のユーザ機器によって送信された要求を受信するステップをさらに含み、要求は、第１の識別子を搬送する。
【手続補正３】
【補正対象書類名】明細書
【補正対象項目名】００２３
【補正方法】変更
【補正の内容】
【００２３】
第２の態様、又は第２の態様の上述した実行方式を参照して、第２の態様の別の実行方式で、第２のユーザ機器によって、第１のユーザ機器に関連する第１の識別子を判定するステップの前に、方法は、第２のユーザ機器によって、要求を第１のユーザ機器に送信するステップをさらに含み、要求は、第１の識別子を搬送する。
【手続補正４】
【補正対象書類名】明細書
【補正対象項目名】００３６
【補正方法】変更
【補正の内容】
【００３６】
第３の態様、又は第３の態様の上述した実行方式を参照して、第３の態様の別の実行方式で、ユーザ機器は、第２のユーザ機器によって送信された要求を受信するように構成された受信ユニットをさらに含み、要求は、第１の識別子を搬送する。
【手続補正５】
【補正対象書類名】明細書
【補正対象項目名】００４８
【補正方法】変更
【補正の内容】
【００４８】
第４の態様に従って、第１のユーザ機器に関連する第１の識別子を判定するように構成された第１の判定ユニットと、第１の判定ユニットによって判定された第１の識別子に従って、選択されることになる循環シフトインジケーションから第１の循環シフトインジケーションを判定するように構成された第２の判定ユニットと、第２の判定ユニットによって判定された第１の循環シフトインジケーション及び事前設定された基本シーケンスに従って、第２の参照信号を判定するように構成された第３の判定ユニットと、チャネルを通じて送信された第１の参照信号を受信するように構成された受信ユニットであって、第１の参照信号は、第１のユーザ機器によって送信される、受信ユニットと、第３の判定ユニットによって判定された第２の参照信号及び受信ユニットによって受信された第１の参照信号に従って、チャネル上でチャネルサウンディングを実行するように構成されたチャネルサウンディングユニットと、を含むユーザ機器が提供される。
【手続補正６】
【補正対象書類名】明細書
【補正対象項目名】００５０
【補正方法】変更
【補正の内容】
【００５０】
第４の態様、又は第４の態様の上述した実行方式を参照して、第４の態様の別の実行方式で、ユーザ機器は、要求を第１のユーザ機器に送信するように構成された送信ユニットをさらに含み、要求は、第１の識別子を搬送する。
【手続補正７】
【補正対象書類名】明細書
【補正対象項目名】０１０２
【補正方法】変更
【補正の内容】
【０１０２】
第１のオフセット値が第１のユーザ機器が属するＤ２Ｄクラスタの識別子値であるとき、第１のユーザ機器及び第２のユーザ機器は、同一のＤ２Ｄクラスタに位置してもよい。したがって、第２のユーザ機器は、第２のユーザ機器が位置するＤ２Ｄクラスタの識別子を使用することによって、第１のオフセット値を取得することができる。
【手続補正８】
【補正対象書類名】明細書
【補正対象項目名】０１０８
【補正方法】変更
【補正の内容】
【０１０８】
本発明のこの実施形態では、第１のユーザ機器は、第１のユーザ機器の第１の識別子の値及び第１の参照信号を送信するのに使用されるリソースの第１のパラメータに従って、循環シフトインジケーションを選択する。第１の識別子は、第１のユーザ機器に関連し、異なるユーザ機器の第１の識別子の値は概して、相互に異なる。したがって、異なるユーザ機器が異なるユーザ機器の第１の識別子の値に基づいて同一の循環シフトインジケーションを選択する確率は低い。したがって、生成された参照信号の間で衝突が発生する確率は低く、Ｄ２Ｄ通信においてユーザ機器によって送信された参照信号の間の干渉が低減する。
【手続補正９】
【補正対象書類名】明細書
【補正対象項目名】０１０９
【補正方法】変更
【補正の内容】
【０１０９】
異なる循環シフトインジケーションに従って判定された参照信号を使用するチャネル推定性能は、良好又は不良であることがある。第１の識別子に従って第１のユーザ機器によって判定された参照信号を使用するチャネル推定性能は、比較的不良であることがある。第１の参照信号が第１の識別子及び事前設定された動作ルールにのみ従って判定され、第１の識別子が比較的固定であるので、選択された第１の循環シフトインジケーションは比較的固定されている場合、時間ごとに判定された第１の参照信号を使用するチャネル推定性能は、比較的不良であることがある。本発明のこの実施形態では、第１の循環シフトインジケーションが選択される場合、第１のユーザ機器の第１の識別子が考慮されるだけでなく、参照信号を送信するのに使用されるリソースの第１のパラメータも考慮される。参照信号を送信するためのリソースは、リアルタイムで変化し、それによって、同一のユーザ機器によって選択された第１の循環シフトインジケーションは固定されず、時間ごとに判定された第１の参照信号を使用するチャネル推定性能が比較的不良であるケースを回避する。
【手続補正１０】
【補正対象書類名】明細書
【補正対象項目名】０１２３
【補正方法】変更
【補正の内容】
【０１２３】
第１のオフセット値が第１のユーザ機器が属するＤ２Ｄクラスタの識別子であるとき、第１のユーザ機器及び第２のユーザ機器は、同一のＤ２Ｄクラスタに位置してもよい。したがって、第２のユーザ機器は、第２のユーザ機器が位置するＤ２Ｄクラスタの識別子を使用することによって、第１のオフセット値を取得することができる。
【外国語明細書】
2018067933000001.pdf